(57)【要約】【課題】  沈胴厚が短く、高性能な高変倍ズームレンズ。【解決手段】  正屈折力の第１レンズ群Ｇ１と、負屈折力の第２レンズ群Ｇ２と、正屈折力の第３レンズ群Ｇ３と、第４レンズ群Ｇ４とを備えた４群構成のズームレンズであって、第１レンズ群Ｇ１から第４レンズ群Ｇ４は、広角端から望遠端へのズーミング動作のために、各々のレンズ群間隔を変化させながら移動し、第２レンズ群Ｇ３は３枚のレンズより構成され、第２レンズ群Ｇ２と第３レンズ群Ｇ３との間に、望遠端よりも広角端にて像側に配される開口絞りＳを有し、以下の条件式を満足する。    ７＜（β2T・β3T・β4W）／（β2W・β3W・β4T）＜１５          ・・・（１）    ７＜（β2T・β3T）／（β2W・β3W）＜１５                      ・・・（２）ただし、βnT：望遠端における第ｎレンズ群の倍率、βnW：広角端における第ｎレンズ群の倍率である。【選択図】        図１
2006133631.tif 000002
【特許請求の範囲】
【請求項１】
物体側より順に、正屈折力の第１レンズ群と、負屈折力の第２レンズ群と、正屈折力の第３レンズ群と、第４レンズ群とを備えた４群構成のズームレンズであって、
前記第１レンズ群、前記第２レンズ群、前記第３レンズ群、前記第４レンズ群は、広角端から望遠端へのズーミング動作のために、各々のレンズ群間隔を変化させながら移動し、
前記第２レンズ群は３枚のレンズより構成され、
前記第２レンズ群と前記第３レンズ群との間に、望遠端よりも広角端にて像側に配される開口絞りを有し、
以下の条件式を満足することを特徴とするズームレンズ。
７＜（β2T・β3T・β4W）／（β2W・β3W・β4T）＜１５          ・・・（１）
７＜（β2T・β3T）／（β2W・β3W）＜１５                      ・・・（２）
ただし、β2T：望遠端における第２レンズ群の倍率、
β3T：望遠端における第３レンズ群の倍率、
β4T：望遠端における第４レンズ群の倍率、
β2W：広角端における第２レンズ群の倍率、
β3W：広角端における第３レンズ群の倍率、
β4W：広角端における第４レンズ群の倍率、
である。
【請求項２】
物体側より順に、正屈折力の第１レンズ群と、負屈折力の第２レンズ群と、正屈折力の第３レンズ群と、第４レンズ群とを備えた４群構成のズームレンズであって、
前記第１レンズ群、前記第２レンズ群、前記第３レンズ群、前記第４レンズ群は、広角端から望遠端へのズーミング動作のために、各々のレンズ群間隔を変化させながら移動し、
前記第１レンズ群が多くても２枚のレンズからなり、
前記第２レンズ群は３枚のレンズより構成され、
以下の条件式を満足することを特徴とするズームレンズ。
７＜（β2T・β3T・β4W）／（β2W・β3W・β4T）＜１５          ・・・（１）
ただし、β2T：望遠端における第２レンズ群の倍率、
β3T：望遠端における第３レンズ群の倍率、
β4T：望遠端における第４レンズ群の倍率、
β2W：広角端における第２レンズ群の倍率、
β3W：広角端における第３レンズ群の倍率、
β4W：広角端における第４レンズ群の倍率、
である。
【請求項３】
物体側より順に、正屈折力の第１レンズ群と、負屈折力の第２レンズ群と、正屈折力の第３レンズ群と、第４レンズ群とを備えた４群構成のズームレンズであって、
前記第１レンズ群、前記第２レンズ群、前記第３レンズ群、前記第４レンズ群は、広角端から望遠端へのズーミング動作のために、各々のレンズ群間隔を変化させながら移動し、
前記第２レンズ群は３枚のレンズより構成され、
前記第２レンズ群は両凹負レンズ、空気間隔、負レンズ、空気間隔  正レンズからなり、
以下の条件式を満足することを特徴とするズームレンズ。
７＜（β2T・β3T・β4W）／（β2W・β3W・β4T）＜１５          ・・・（１）
ただし、β2T：望遠端における第２レンズ群の倍率、
β3T：望遠端における第３レンズ群の倍率、
β4T：望遠端における第４レンズ群の倍率、
β2W：広角端における第２レンズ群の倍率、
β3W：広角端における第３レンズ群の倍率、
β4W：広角端における第４レンズ群の倍率、
である。
【請求項４】
前記第２レンズ群は、物体側から順に、両凹負レンズ、両凹負レンズ、両凸正レンズからなることを特徴とする請求項３記載のズームレンズ。
【請求項５】
以下の条件式を満足することを特徴とする請求項４記載のズームレンズ。
０．１＜Σｄ2g／Ｒ2g2 ＜２                                    ・・・（３）
ただし、Σｄ2g：第２レンズ群の最も物体側のレンズ面から第２レンズ群の最も像側のレ                ンズ面までの光軸上の厚み、
Ｒ2g2 ：第２レンズ群の物体側の両凹レンズの像側面の近軸曲率半径、
である。
【請求項６】
以下の条件式を満足することを特徴とする請求項１から５の何れか１項記載のズームレンズ。
０．７７＜（Ｄ1t＋Ｄ2w）／ｆt ＜０．９９                      ・・・（４）
ただし、Ｄ1t：望遠端における第１レンズ群と第２レンズ群との間の空気間隔、
Ｄ2w：広角端における第２レンズ群と第３レンズ群との間の空気間隔、
ｆt ：望遠端におけるズームレンズ全系の焦点距離、
である。
【請求項７】
以下の条件式を満足することを特徴とする請求項６記載のズームレンズ。
８．０３＜（Ｄ1t＋Ｄ2w）／ｆw ＜１１                          ・・・（５）
ただし、ｆw ：広角端におけるズームレンズ全系の焦点距離、
である。
【請求項８】
前記第１レンズ群が、以下の条件式を満足する凹レンズを備えていることを特徴とする請求項１から７の何れか１項記載のズームレンズ。
１．８６＜ｎd1N                                               ・・・（６）
ただし、ｎd1N ：第１レンズ群中の何れかの１つの凹レンズの硝材のｄ線屈折率、
である。
【請求項９】
前記第１レンズ群が、以下の条件式を満足する凹レンズを備えていることを特徴とする請求項１から８の何れか１項記載のズームレンズ。
２５．８＜νd1N                                               ・・・（７）
ただし、νd1N ：第１レンズ群中の何れかの１つの凹レンズの硝材のｄ線基準アッベ数、
である。
【請求項１０】
前記第２レンズ群の物体側から１枚目のレンズが、以下の条件式を満足する凹レンズであることを特徴とする請求項１から９の何れか１項記載のズームレンズ。
１．７８＜ｎd21                                               ・・・（８）
ただし、ｎd21 ：第２レンズ群の物体側から１枚目のレンズの硝材のｄ線屈折率、
である。
【請求項１１】
前記第２レンズ群の物体側から２枚目のレンズが、以下の条件式を満足する凹レンズであることを特徴とする請求項１から１０の何れか１項記載のズームレンズ。
１．８０＜ｎd22                                               ・・・（９）
ただし、ｎd22 ：第２レンズ群の物体側から２枚目のレンズの硝材のｄ線屈折率、
である。
【請求項１２】
物体側より順に、正屈折力の第１レンズ群と、負屈折力の第２レンズ群と、正屈折力の第３レンズ群と、第４レンズ群とを備えた４群構成のズームレンズであって、
前記第１レンズ群、前記第２レンズ群、前記第３レンズ群、前記第４レンズ群は、広角端から望遠端へのズーミング動作のために、各々のレンズ群間隔を変化させながら移動し、
前記第２レンズ群は３枚のレンズより構成され、
以下の条件式（１）を満足し、
前記第２レンズ群の物体側から３枚目のレンズが、以下の条件式（１０）を満足する凸レンズであることを特徴とするズームレンズ。
７＜（β2T・β3T・β4W）／（β2W・β3W・β4T）＜１５          ・・・（１）
１．８６＜ｎd23                                             ・・・（１０）
ただし、β2T：望遠端における第２レンズ群の倍率、
β3T：望遠端における第３レンズ群の倍率、
β4T：望遠端における第４レンズ群の倍率、
β2W：広角端における第２レンズ群の倍率、
β3W：広角端における第３レンズ群の倍率、
β4W：広角端における第４レンズ群の倍率、
ｎd23 ：第２レンズ群の物体側から３枚目のレンズのｄ線屈折率、
である。
【請求項１３】
前記第２レンズ群の物体側から３枚目のレンズが、以下の条件式（１０）を満足する凸レンズであることを特徴とする請求項１から１１の何れか１項記載のズームレンズ。
１．８６＜ｎd23                                             ・・・（１０）
ただし、ｎd23 ：第２レンズ群の物体側から３枚目のレンズのｄ線屈折率、
である。
【請求項１４】
前記第３レンズ群が以下の条件式を満足することを特徴とする請求項１から１３の何れか１項記載のズームレンズ。
−２．１＜β3T＜−１．４３                                  ・・・（１１）
【請求項１５】
前記第１レンズ群が以下の条件式を満足することを特徴とする請求項１から１４の何れか１項記載のズームレンズ。
６．６８＜ｆ1 ／ｆw ＜８．６１                              ・・・（１２）
ただし、ｆ1 ：第１レンズ群の合成焦点距離、
ｆw ：広角端におけるズームレンズ全系の焦点距離、
である。
【請求項１６】
以下の条件式を満足することを特徴とする請求項１から１５の何れか１項記載のズームレンズ。
１．１＜Ｄ3w／ｆw ＜１．５５                                ・・・（１３）
ただし、Ｄ3w：広角端における第３レンズ群と第４レンズ群との間の空気間隔、
ｆw ：広角端におけるズームレンズ全系の焦点距離、
である。
【請求項１７】
以下の条件式を満足することを特徴とする請求項１から１６の何れか１項記載のズームレンズ。
０．４＜Ｄ1t／ｆt ＜０．５３                                ・・・（１４）
ただし、Ｄ1t：望遠端における第１レンズ群と第２レンズ群との間の空気間隔、
ｆt ：望遠端におけるズームレンズ全系の焦点距離、
である。
【請求項１８】
以下の条件式を満足することを特徴とする請求項１から１７の何れか１項記載のズームレンズ。
０．３＜Ｄ3t／ｆt ＜０．４５                                ・・・（１５）
ただし、Ｄ3t：望遠端における第３レンズ群と第４レンズ群との間の空気間隔、
ｆt ：望遠端におけるズームレンズ全系の焦点距離、
である。
【請求項１９】
以下の条件式を満足することを特徴とする請求項１から１８の何れか１項記載のズームレンズ。
１．６８＜Ｄ2w／Ｄ3w＜３．６８                              ・・・（１６）
ただし、Ｄ2w：広角端における第２レンズ群と第３レンズ群との間の空気間隔、
Ｄ3w：広角端における第３レンズ群と第４レンズ群との間の空気間隔、
である。
【請求項２０】
前記第２レンズ群が以下の条件式を満足するように、広角端よりも望遠端にて像側に移動することを特徴とする請求項１から１９の何れか１項記載のズームレンズ。
１．２＜ΔS2g ／ΔT2g ＜１．８９                            ・・・（１７）
ただし、広角端焦点距離と望遠端焦点距離の相乗平均の焦点距離となる状態を中間焦点距離状態としたとき、
ΔS2g ：広角端から中間焦点距離状態までの第２レンズ群の移動量、
ΔT2g ：広角端から望遠端までの第２レンズ群の移動量、
であり、物体方向への移動量を正とする。
【請求項２１】
前記第３レンズ群が以下の条件式を満足するように、広角端よりも望遠端にて物体側に移動することを特徴とする請求項１から２０の何れか１項記載のズームレンズ。
０＜ΔS3g ／ΔT3g ＜０．４４                                ・・・（１８）
ただし、広角端焦点距離と望遠端焦点距離の相乗平均の焦点距離となる状態を中間焦点距離状態としたとき、
ΔS3g ：広角端から中間焦点距離状態までの第３レンズ群の移動量、
ΔT3g ：広角端から望遠端までの第３レンズ群の移動量、
であり、物体方向への移動量を正とする。
【請求項２２】
物体側より順に、正屈折力の第１レンズ群と、負屈折力の第２レンズ群と、正屈折力の第３レンズ群と、第４レンズ群とを備えた４群構成のズームレンズであって、
前記第１レンズ群、前記第２レンズ群、前記第３レンズ群、前記第４レンズ群は、広角端から望遠端へのズーミング動作のために、各々のレンズ群間隔を変化させながら移動し、
前記第２レンズ群は３枚のレンズより構成され、
以下の条件式を満足することを特徴とするズームレンズ。
７＜（β2T・β3T・β4W）／（β2W・β3W・β4T）＜１５          ・・・（１）
０．６４＜ｆ2 ／ｆ3 ＜０．７３                              ・・・（１９）
ただし、β2T：望遠端における第２レンズ群の倍率、
β3T：望遠端における第３レンズ群の倍率、
β4T：望遠端における第４レンズ群の倍率、
β2W：広角端における第２レンズ群の倍率、
β3W：広角端における第３レンズ群の倍率、
β4W：広角端における第４レンズ群の倍率、
ｆ2 ：第２レンズ群の合成焦点距離、
ｆ3 ：第３レンズ群の合成焦点距離、
である。
【請求項２３】
以下の条件式を満足することを特徴とする請求項１から２１の何れか１項記載のズームレンズ。
０．６４＜ｆ2 ／ｆ3 ＜０．７３                              ・・・（１９）
ただし、ｆ2 ：第２レンズ群の合成焦点距離、
ｆ3 ：第３レンズ群の合成焦点距離、
である。
【請求項２４】
前記第３レンズ群が以下の条件式を満足することを特徴とする請求項１から２３の何れか１項記載のズームレンズ。
０．２６＜ΔT3g ／ｆt ＜０．３７                            ・・・（２０）
ただし、ΔT3g ：広角端から望遠端までの第３レンズ群の移動量、
であり、物体方向への移動量を正とし、
ｆt ：望遠端におけるズームレンズ全系の焦点距離、
である。
【請求項２５】
前記第３レンズ群が以下の条件式を満足することを特徴とする請求項１から２４の何れか１項記載のズームレンズ。
２．８＜ΔT3g ／ｆw ＜３．２１                              ・・・（２１）
ただし、ΔT3g ：広角端から望遠端までの第３レンズ群の移動量、
であり、物体方向への移動量を正とし、
ｆw ：広角端におけるズームレンズ全系の焦点距離、
である。
【請求項２６】
前記第３レンズ群が以下の条件式を満足することを特徴とする請求項１から２５の何れか１項記載のズームレンズ。
２．６４＜（β3T／β3W）＜３．２６                          ・・・（２２）
【請求項２７】
物体側より順に、正屈折力の第１レンズ群と、負屈折力の第２レンズ群と、正屈折力の第３レンズ群と、第４レンズ群とを備えた４群構成のズームレンズであって、
前記第１レンズ群、前記第２レンズ群、前記第３レンズ群、前記第４レンズ群は、広角端から望遠端へのズーミング動作のために、各々のレンズ群間隔を変化させながら移動し、
前記第２レンズ群は３枚のレンズより構成され、
以下の条件式を満足することを特徴とするズームレンズ。
７＜（β2T・β3T・β4W）／（β2W・β3W・β4T）＜１５          ・・・（１）
−０．１７＜（β2T／β2W）／（β3T／β3W）＜１．１６        ・・・（２３）
ただし、β2T：望遠端における第２レンズ群の倍率、
β3T：望遠端における第３レンズ群の倍率、
β4T：望遠端における第４レンズ群の倍率、
β2W：広角端における第２レンズ群の倍率、
β3W：広角端における第３レンズ群の倍率、
β4W：広角端における第４レンズ群の倍率、
である。
【請求項２８】
以下の条件式を満足することを特徴とする請求項１から２６の何れか１項記載のズームレンズ。
−０．１７＜（β2T／β2W）／（β3T／β3W）＜１．１６        ・・・（２３）
【請求項２９】
前記第１レンズ群が以下の条件を満足することを特徴とする請求項１から２８の何れか１項記載のズームレンズ。
０＜Σｄ1g／Ｌt ＜０．０９                                  ・・・（２４）
ただし、Σｄ1g：第１レンズ群の最も物体側のレンズ面から第１レンズ群の最も像側のレ                ンズ面までの光軸上の厚み、
Ｌt ：望遠端におけるズームレンズ入射面から像面までのレンズ全長、
である。
【請求項３０】
前記第１レンズ群が以下の条件を満足することを特徴とする請求項１から２９の何れか１項記載のズームレンズ。
０＜Σｄ1g／ｆt ＜０．１１                                  ・・・（２５）
ただし、Σｄ1g：第１レンズ群の最も物体側のレンズ面から第１レンズ群の最も像側のレ                ンズ面までの光軸上の厚み、
ｆt ：望遠端におけるズームレンズ全系の焦点距離、
である。
【請求項３１】
広角端時と比べて望遠端時にて開口径が大きくなる開口絞りを備えていることを特徴とする請求項１から３０の何れか１項記載のズームレンズ。
【請求項３２】
以下の条件を満足することを特徴とする請求項１から２１の何れか１項記載のズームレンズ。
７＜ｆt ／ｆw ＜１５                                        ・・・（２６）
ただし、ｆt ：望遠端におけるズームレンズ全系の焦点距離、
ｆw ：広角端におけるズームレンズ全系の焦点距離、
である。
【請求項３３】
以下の条件を満足することを特徴とする請求項１から３２の何れか１項記載のズームレンズ。
−２１＜ｄｔ0.5dw ＜−１０．１                              ・・・（２７）
ただし、ｄｔ0.5dw ：広角端における最大像高のディストーションであり、単位は％である。
【請求項３４】
物体側より順に、正屈折力の第１レンズ群と、負屈折力の第２レンズ群と、正屈折力の第３レンズ群と、第４レンズ群とを備えた４群構成のズームレンズであって、
前記第１レンズ群、前記第２レンズ群、前記第３レンズ群、前記第４レンズ群は、広角端から望遠端へのズーミング動作のために、各々のレンズ群間隔を変化させながら移動し、
前記第２レンズ群は３枚のレンズより構成され、
以下の条件式を満足することを特徴とするズームレンズ。
−２１＜ｄｔ0.5dw ＜−１０．１                              ・・・（２７）
ただし、ｄｔ0.5dw ：広角端における最大像高のディストーションであり、単位は％である。
【請求項３５】
請求項１から３４の何れか１項記載のズームレンズと、その像側に配された電子撮像素子とを備えたことを特徴とする電子撮像装置。
【発明の詳細な説明】
【技術分野】
【０００１】
本発明は、ズームレンズに関し、特に、ＣＣＤやＣ−ＭＯＳ等の電子撮像素子に対応した高変倍ズームレンズに関するものである。
【背景技術】
【０００２】
変倍比が８倍程度を越え、また、レンズ全長を短くするズームレンズ系として、物体側より順に、正の第１レンズ群、負の第２レンズ群、正の第３レンズ群、第４レンズ群を有し、全てのレンズ群を移動させて変倍するものが、例えば特許文献１、特許文献２で提案されている。
【特許文献１】特許第３００８３８０号公報
【特許文献２】特開平７−５３６１号公報
【発明の開示】
【発明が解決しようとする課題】
【０００３】
本発明は従来技術のこのような状況に鑑みてなされたものであり、その目的は、沈胴厚が短く、高性能な高変倍ズームレンズを提供することである。
【課題を解決するための手段】
【０００４】
上記目的を達成する本発明の第１のズームレンズは、物体側より順に、正屈折力の第１レンズ群と、負屈折力の第２レンズ群と、正屈折力の第３レンズ群と、第４レンズ群とを備えた４群構成のズームレンズであって、
前記第１レンズ群、前記第２レンズ群、前記第３レンズ群、前記第４レンズ群は、広角端から望遠端へのズーミング動作のために、各々のレンズ群間隔を変化させながら移動し、
前記第２レンズ群は３枚のレンズより構成され、
前記第２レンズ群と前記第３レンズ群との間に、望遠端よりも広角端にて像側に配される開口絞りを有し、
以下の条件式を満足することを特徴とするものである。
【０００５】
７＜（β2T・β3T・β4W）／（β2W・β3W・β4T）＜１５          ・・・（１）
７＜（β2T・β3T）／（β2W・β3W）＜１５                      ・・・（２）
ただし、β2T：望遠端における第２レンズ群の倍率、
β3T：望遠端における第３レンズ群の倍率、
β4T：望遠端における第４レンズ群の倍率、
β2W：広角端における第２レンズ群の倍率、
β3W：広角端における第３レンズ群の倍率、
β4W：広角端における第４レンズ群の倍率、
である。
【０００６】
以下に、本発明の第１のズームレンズにおいて、上記構成をとる理由と作用を説明する。
【０００７】
第１のズームレンズは、正の第１レンズ群、負の第２レンズ群、正の第３レンズ群、第４レンズ群を有し、全てのレンズ群を移動させて変倍する方式のズームレンズである。その場合に、第２レンズ群を３枚のレンズで構成すると、変倍比を稼ぐためにパワーを持ちつつ、第２レンズ群の光軸上の厚みを薄くして、変倍のためのスペースを確保することができる。
【０００８】
そして、主たる変倍作用を第２レンズ群と第３レンズ群に持たせ、第４レンズ群は主に収差補正を行う。
【０００９】
このとき、条件式（１）と（２）の下限の何れも７を越えると、高変倍を達成することができない。条件式（２）のみがその下限を越えると、第４レンズ群への変倍負担が大きくなり、高性能を達成するには構成が複雑になり、薄型化が困難になる。条件式（１）が上限の１５を越えると、第４レンズ群で減倍作用を持ち、効率的な変倍作用ができず、移動スペースが必要となり、薄型化が困難になる。条件式（２）が上限の１５を越えると、変倍作用が大きくなり、移動スペースが必要となり、薄型化が困難になる。
【００１０】
また、第２レンズ群と第３レンズ群との間に開口絞りを配置し、その開口絞りが望遠端よりも広角端にて像側に配されるようにして、特に第３レンズ群に絞りを近づけることで、第３レンズ群のレンズ径を小さくし（ボディ構成上有利）、また、主光線を広角端から望遠端まで光軸に近いところで入射させることにより、高変倍でありながら第３レンズ群を薄くし、かつ良好な結像性能を達成することができる。
【００１１】
本発明の第２のズームレンズは、物体側より順に、正屈折力の第１レンズ群と、負屈折力の第２レンズ群と、正屈折力の第３レンズ群と、第４レンズ群とを備えた４群構成のズームレンズであって、
前記第１レンズ群、前記第２レンズ群、前記第３レンズ群、前記第４レンズ群は、広角端から望遠端へのズーミング動作のために、各々のレンズ群間隔を変化させながら移動し、
前記第１レンズ群が多くても２枚のレンズからなり、
前記第２レンズ群は３枚のレンズより構成され、
以下の条件式を満足することを特徴とするものである。
【００１２】
７＜（β2T・β3T・β4W）／（β2W・β3W・β4T）＜１５          ・・・（１）
ただし、β2T：望遠端における第２レンズ群の倍率、
β3T：望遠端における第３レンズ群の倍率、
β4T：望遠端における第４レンズ群の倍率、
β2W：広角端における第２レンズ群の倍率、
β3W：広角端における第３レンズ群の倍率、
β4W：広角端における第４レンズ群の倍率、
である。
【００１３】
以下に、本発明の第２のズームレンズにおいて、上記構成をとる理由と作用を説明する。
【００１４】
第２のズームレンズは、正の第１レンズ群、負の第２レンズ群、正の第３レンズ群、第４レンズ群を有し、全てのレンズ群を移動させて変倍する方式のズームレンズである。その場合に、第１レンズ群を２枚以下のレンズで構成することが望ましい。第１レンズ群が３枚以上になると、第１レンズ群の光軸上の厚さを小さくできない。また、径も大きくなってしまう。本発明では、他の構成要件と組み合わせ、高変倍で高い結像作用を得ることができる。
【００１５】
また、第２レンズ群を３枚のレンズで構成すると、変倍比を稼ぐためにパワーを持ちつつ、第２レンズ群の光軸上の厚みを薄くして、変倍のためのスペースを確保することができる。
【００１６】
そして、主たる変倍作用を第２レンズ群と第３レンズ群に持たせ、第４レンズ群は主に収差補正を行う。
【００１７】
このとき、条件式（１）の下限の７を越えると、高変倍を達成することができない。条件式（１）が上限の１５を越えると、第４レンズ群で減倍作用を持ち、効率的な変倍作用ができず、移動スペースが必要となり、薄型化が困難になる。
【００１８】
本発明の第３のズームレンズは、物体側より順に、正屈折力の第１レンズ群と、負屈折力の第２レンズ群と、正屈折力の第３レンズ群と、第４レンズ群とを備えた４群構成のズームレンズであって、
前記第１レンズ群、前記第２レンズ群、前記第３レンズ群、前記第４レンズ群は、広角端から望遠端へのズーミング動作のために、各々のレンズ群間隔を変化させながら移動し、
前記第２レンズ群は３枚のレンズより構成され、
前記第２レンズ群は両凹負レンズ、空気間隔、負レンズ、空気間隔  正レンズからなり、
以下の条件式を満足することを特徴とするものである。
【００１９】
７＜（β2T・β3T・β4W）／（β2W・β3W・β4T）＜１５          ・・・（１）
ただし、β2T：望遠端における第２レンズ群の倍率、
β3T：望遠端における第３レンズ群の倍率、
β4T：望遠端における第４レンズ群の倍率、
β2W：広角端における第２レンズ群の倍率、
β3W：広角端における第３レンズ群の倍率、
β4W：広角端における第４レンズ群の倍率、
である。
【００２０】
以下に、本発明の第３のズームレンズにおいて、上記構成をとる理由と作用を説明する。
【００２１】
第３のズームレンズは、正の第１レンズ群、負の第２レンズ群、正の第３レンズ群、第４レンズ群を有し、全てのレンズ群を移動させて変倍する方式のズームレンズである。その場合に、第１レンズ群を２枚以下のレンズで構成することが望ましい。第１レンズ群が３枚以上になると、第１レンズ群の光軸上の厚さを小さくできない。また、径も大きくなってしまう。本発明では、他の構成要件と組み合わせ、高変倍で高い結像作用を得ることができる。
【００２２】
また、第２レンズ群を３枚のレンズで構成すると、変倍比を稼ぐためにパワーを持ちつつ、第２レンズ群の光軸上の厚みを薄くして、変倍のためのスペースを確保することができる。そのレンズ配置を両凹負レンズ、空気間隔、負レンズ、空気間隔  正レンズとすることにより、第２レンズ群の光軸上の厚さを小さくしつつ、負のパワーを大きく持たせることができる。また、２つの空気間隔を配置することで、軸上、軸外の収差補正が効果的に行われ、第１レンズ群、第３レンズ群の負担の軽減ができ、これらの群の光軸上の厚さも小さくできる。
【００２３】
そして、主たる変倍作用を第２レンズ群と第３レンズ群に持たせ、第４レンズ群は主に収差補正を行う。
【００２４】
このとき、条件式（１）の下限の７を越えると、高変倍を達成することができない。条件式（１）が上限の１５を越えると、第４レンズ群で減倍作用を持ち、効率的な変倍作用ができず、移動スペースが必要となり、薄型化が困難になる。
【００２５】
本発明の第４のズームレンズは、第３のズームレンズにおいて、前記第２レンズ群は、物体側から順に、両凹負レンズ、両凹負レンズ、両凸正レンズからなることを特徴とするものである。
【００２６】
以下に、本発明の第４のズームレンズにおいて、上記構成をとる理由と作用を説明すると、このようなレンズ配置により、高次収差の補正に有利になる。
【００２７】
本発明の第５のズームレンズは、第４のズームレンズにおいて、以下の条件式を満足することを特徴とするものである。
【００２８】
０．１＜Σｄ2g／Ｒ2g2 ＜２                                    ・・・（３）
ただし、Σｄ2g：第２レンズ群の最も物体側のレンズ面から第２レンズ群の最も像側のレ                ンズ面までの光軸上の厚み、
Ｒ2g2 ：第２レンズ群の物体側の両凹レンズの像側面の近軸曲率半径、
である。
【００２９】
以下に、本発明の第５のズームレンズにおいて、上記構成をとる理由と作用を説明すると、条件式（３）の下限の０．１を越えると、第２レンズ群の１枚目レンズのパワーが小さくなり、群のパワー小さくなってしまう。上限の２を越えると、第２レンズ群で発生する収差が大きすぎて、他のレンズ群で補正することが困難になってしまう。
【００３０】
本発明の第６のズームレンズは、第１〜第５のズームレンズにおいて、以下の条件式を満足することを特徴とするものである。
【００３１】
０．７７＜（Ｄ1t＋Ｄ2w）／ｆt ＜０．９９                      ・・・（４）
ただし、Ｄ1t：望遠端における第１レンズ群と第２レンズ群との間の空気間隔、
Ｄ2w：広角端における第２レンズ群と第３レンズ群との間の空気間隔、
ｆt ：望遠端におけるズームレンズ全系の焦点距離、
である。
【００３２】
以下に、本発明の第６のズームレンズにおいて、上記構成をとる理由と作用を説明すると、条件式（４）の下限の０．７７より小さくなると、変倍に必要なスペースが確保できなくなる。また、その上限の０．９９より大きくなると、望遠端での全長が大きくなり、結果としてレンズユニットが大きくなってしまう。
【００３３】
さらに、条件式（４）の下限値を０．８５としてもよい。又は、上限値を０．８８としてもよい。
【００３４】
本発明の第７のズームレンズは、第６のズームレンズにおいて、以下の条件式を満足することを特徴とするものである。
【００３５】
８．０３＜（Ｄ1t＋Ｄ2w）／ｆw ＜１１                          ・・・（５）
ただし、ｆw ：広角端におけるズームレンズ全系の焦点距離、
である。
【００３６】
以下に、本発明の第７のズームレンズにおいて、上記構成をとる理由と作用を説明すると、条件式（５）の下限の８．０３より小さくなると、変倍に必要なスペースが確保できなくなる。また、その上限の１１より大きくなると、望遠端での全長が大きくなり、結果としてレンズユニットが大きくなってしまう。
【００３７】
さらに、条件式（５）の下限値を８．３０としてもよい。又は、上限値を９．９２としてもよい。
【００３８】
本発明の第８のズームレンズは、第１〜第７のズームレンズにおいて、前記第１レンズ群が、以下の条件式を満足する凹レンズを備えていることを特徴とするものである。
【００３９】
１．８６＜ｎd1N                                               ・・・（６）
ただし、ｎd1N ：第１レンズ群中の何れかの１つの凹レンズの硝材のｄ線屈折率、
である。
【００４０】
以下に、本発明の第８のズームレンズにおいて、上記構成をとる理由と作用を説明すると、条件式（６）の下限の１．８６を越えると、色収差補正が難しくなる。
【００４１】
さらに、条件式（６）の下限値を１．９０としてもよい。
【００４２】
本発明の第９のズームレンズは、第１〜第８のズームレンズにおいて、前記第１レンズ群が、以下の条件式を満足する凹レンズを備えていることを特徴とするものである。
【００４３】
２５．８＜νd1N                                               ・・・（７）
ただし、νd1N ：第１レンズ群中の何れかの１つの凹レンズの硝材のｄ線基準アッベ数、
である。
【００４４】
以下に、本発明の第９のズームレンズにおいて、上記構成をとる理由と作用を説明すると、条件式（７）の下限の２５．８を越えると、色収差補正が難しくなる。
【００４５】
さらに、条件式（７）の下限値を３１としてもよい。
【００４６】
本発明の第１０のズームレンズは、第１〜第９のズームレンズにおいて、前記第２レンズ群の物体側から１枚目のレンズが、以下の条件式を満足する凹レンズであることを特徴とするものである。
【００４７】
１．７８＜ｎd21                                               ・・・（８）
ただし、ｎd21 ：第２レンズ群の物体側から１枚目のレンズの硝材のｄ線屈折率、
である。
【００４８】
以下に、本発明の第１０のズームレンズにおいて、上記構成をとる理由と作用を説明すると、条件式（８）の下限の１．７８を越えると、そのレンズの凹面がきつくなり、収差発生量が増えてしまう。さらに、ペッツバール和が負方向に大きくなり、像面湾曲が大きくなってしまう。
【００４９】
さらに、条件式（８）の下限値を１．８６としてもよい。
【００５０】
本発明の第１１のズームレンズは、第１〜第１０のズームレンズにおいて、前記第２レンズ群の物体側から２枚目のレンズが、以下の条件式を満足する凹レンズであることを特徴とするものである。
【００５１】
１．８０＜ｎd22                                               ・・・（９）
ただし、ｎd22 ：第２レンズ群の物体側から２枚目のレンズの硝材のｄ線屈折率、
である。
【００５２】
以下に、本発明の第１１のズームレンズにおいて、上記構成をとる理由と作用を説明すると、条件式（９）の下限の１．８０を越えると、そのレンズの凹面がきつくなり、収差発生量が増えてしまう。さらに、ペッツバール和が負方向に大きくなり、像面湾曲が大きくなってしまう。
【００５３】
さらに、条件式（９）の下限値を１．８６としてもよい。
【００５４】
本発明の第１２のズームレンズは、物体側より順に、正屈折力の第１レンズ群と、負屈折力の第２レンズ群と、正屈折力の第３レンズ群と、第４レンズ群とを備えた４群構成のズームレンズであって、
前記第１レンズ群、前記第２レンズ群、前記第３レンズ群、前記第４レンズ群は、広角端から望遠端へのズーミング動作のために、各々のレンズ群間隔を変化させながら移動し、
前記第２レンズ群は３枚のレンズより構成され、
以下の条件式（１）を満足し、
前記第２レンズ群の物体側から３枚目のレンズが、以下の条件式（１０）を満足する凸レンズであることを特徴とするものである。
【００５５】
７＜（β2T・β3T・β4W）／（β2W・β3W・β4T）＜１５          ・・・（１）
１．８６＜ｎd23                                             ・・・（１０）
ただし、β2T：望遠端における第２レンズ群の倍率、
β3T：望遠端における第３レンズ群の倍率、
β4T：望遠端における第４レンズ群の倍率、
β2W：広角端における第２レンズ群の倍率、
β3W：広角端における第３レンズ群の倍率、
β4W：広角端における第４レンズ群の倍率、
ｎd23 ：第２レンズ群の物体側から３枚目のレンズのｄ線屈折率、
である。
【００５６】
以下に、本発明の第１２のズームレンズにおいて、上記構成をとる理由と作用を説明する。
【００５７】
第１２のズームレンズは、正の第１レンズ群、負の第２レンズ群、正の第３レンズ群、第４レンズ群を有し、全てのレンズ群を移動させて変倍する方式のズームレンズである。その場合に、第２レンズ群を３枚のレンズで構成すると、変倍比を稼ぐためにパワーを持ちつつ、第２レンズ群の光軸上の厚みを薄くして、変倍のためのスペースを確保することができる。
【００５８】
そして、主たる変倍作用を第２レンズ群と第３レンズ群に持たせ、第４レンズ群は主に収差補正を行う。
【００５９】
このとき、条件式（１）の下限の７を越えると、高変倍を達成することができない。条件式（１）が上限の１５を越えると、第４レンズ群で減倍作用を持ち、効率的な変倍作用ができず、移動スペースが必要となり、薄型化が困難になる。
【００６０】
また、条件式（１０）の下限の１．８６を越えると、色収差の補正が難しくなる。さらに、ペッツバール和が負方向に大きくなり、像面湾曲が大きくなってしまう。
【００６１】
さらに、条件式（１０）の下限値を１．９としてもよい。
【００６２】
本発明の第１３のズームレンズは、第１〜第１１のズームレンズにおいて、前記第２レンズ群の物体側から３枚目のレンズが、以下の条件式（１０）を満足する凸レンズであることを特徴とするものである。
【００６３】
１．８６＜ｎd23                                             ・・・（１０）
ただし、ｎd23 ：第２レンズ群の物体側から３枚目のレンズのｄ線屈折率、
である。
【００６４】
以下に、本発明の第１３のズームレンズにおいて、上記構成をとる理由と作用を説明すると、条件式（１０）の下限の１．８６を越えると、色収差の補正が難しくなる。さらに、ペッツバール和が負方向に大きくなり、像面湾曲が大きくなってしまう。
【００６５】
さらに、条件式（１０）の下限値を１．９としてもよい。
【００６６】
本発明の第１４のズームレンズは、第１〜第１３のズームレンズにおいて、前記第３レンズ群が以下の条件式を満足することを特徴とするものである。
【００６７】
−２．１＜β3T＜−１．４３                                  ・・・（１１）
以下に、本発明の第１４のズームレンズにおいて、上記構成をとる理由と作用を説明すると、条件式（１１）の下限の−２．１を越えると、第３レンズ群の変倍負担が増えて、移動量が増えるか又はパワーが必要となり、結果としてレンズユニットが大きくなってしまう。上限の−１．４３を越えると、第３レンズ群の変倍負担が減り、高変倍が達成できない。
【００６８】
さらに、条件式（１１）の上限値を−１．０７としてもよい。
【００６９】
本発明の第１５のズームレンズは、第１〜第１４のズームレンズにおいて、前記第１レンズ群が以下の条件式を満足することを特徴とするものである。
【００７０】
６．６８＜ｆ1 ／ｆw ＜８．６１                              ・・・（１２）
ただし、ｆ1 ：第１レンズ群の合成焦点距離、
ｆw ：広角端におけるズームレンズ全系の焦点距離、
である。
【００７１】
以下に、本発明の第１５のズームレンズにおいて、上記構成をとる理由と作用を説明すると、条件式（１２）の下限の６．６８より第１レンズ群の合成焦点距離ｆ1 が小さくなると、第１レンズ群で発生する収差量が増えて、第１レンズ群の厚さを厚くせずに良好な結像性能を得るのが難しくなる。その上限の８．６１よりｆ1 が大きくなると、小型化を維持しつつ、後の群で変倍を行うのが難しくなる。
【００７２】
さらに、条件式（１２）の下限値を７．４４としてもよい。又は、上限値を８．４としてもよい。
【００７３】
本発明の第１６のズームレンズは、第１〜第１５のズームレンズにおいて、以下の条件式を満足することを特徴とするものである。
【００７４】
１．１＜Ｄ3w／ｆw ＜１．５５                                ・・・（１３）
ただし、Ｄ3w：広角端における第３レンズ群と第４レンズ群との間の空気間隔、
ｆw ：広角端におけるズームレンズ全系の焦点距離、
である。
【００７５】
以下に、本発明の第１６のズームレンズにおいて、上記構成をとる理由と作用を説明すると、条件式（１３）の下限の１．１を越えると、瞳位置が像側に移動し、前玉径が大きくなってしまう。その上限の１．５５を越えると、第３レンズ群での変倍比が稼げなくなってしまう。
【００７６】
さらに、条件式（１３）の下限値を１．１６としてもよい。又は、上限値を１．４６としてもよい。
【００７７】
本発明の第１７のズームレンズは、第１〜第１６のズームレンズにおいて、以下の条件式を満足することを特徴とするものである。
【００７８】
０．４＜Ｄ1t／ｆt ＜０．５３                                ・・・（１４）
ただし、Ｄ1t：望遠端における第１レンズ群と第２レンズ群との間の空気間隔、
ｆt ：望遠端におけるズームレンズ全系の焦点距離、
である。
【００７９】
以下に、本発明の第１７のズームレンズにおいて、上記構成をとる理由と作用を説明すると、条件式（１４）の下限の０．４を越えると、第２レンズ群での変倍比が稼げなくなってしまう。その上限の０．５３を越えると、望遠端での全長が伸びて、Ｆナンバーも暗くなってしまう。
【００８０】
さらには、条件式（１４）の上限値を０．４６としてもよい。
【００８１】
本発明の第１８のズームレンズは、第１〜第１７のズームレンズにおいて、以下の条件式を満足することを特徴とするものである。
【００８２】
０．３＜Ｄ3t／ｆt ＜０．４５                                ・・・（１５）
ただし、Ｄ3t：望遠端における第３レンズ群と第４レンズ群との間の空気間隔、
ｆt ：望遠端におけるズームレンズ全系の焦点距離、
である。
【００８３】
以下に、本発明の第１８のズームレンズにおいて、上記構成をとる理由と作用を説明すると、条件式（１５）の下限の０．３を越えると、第３レンズ群での変倍比が稼げなくなってしまう。その上限の０．４５を越えると、望遠端での全長が伸びて、Ｆナンバーも暗くなってしまう。又は、レンズ群移動のためのカムの構成が困難になる。
【００８４】
さらには、条件式（１５）の下限値を０．４としてもよい。
【００８５】
本発明の第１９のズームレンズは、第１〜第１８のズームレンズにおいて、以下の条件式を満足することを特徴とするものである。
【００８６】
１．６８＜Ｄ2w／Ｄ3w＜３．６８                              ・・・（１６）
ただし、Ｄ2w：広角端における第２レンズ群と第３レンズ群との間の空気間隔、
Ｄ3w：広角端における第３レンズ群と第４レンズ群との間の空気間隔、
である。
【００８７】
以下に、本発明の第１９のズームレンズにおいて、上記構成をとる理由と作用を説明すると、条件式（１６）の下限の１．６８を越えると、広角端全長が短くなり、収差が増大して性能が落ちてしまう。又は、望遠端全長が伸びて、レンズユニットが大きくなり、Ｆナンバーも暗くなってしまう。その上限の３．６８を越えると、広角端全長が長くなり、前玉径が大きくなってしまう。又は、望遠端全長が伸びて、レンズユニットが大きくなり、Ｆナンバーも暗くなってしまう。
【００８８】
さらには、条件式（１６）の下限値を２．８１としてもよい。
【００８９】
本発明の第２０のズームレンズは、第１〜第１９のズームレンズにおいて、前記第２レンズ群が以下の条件式を満足するように、広角端よりも望遠端にて像側に移動することを特徴とするものである。
【００９０】
１．２＜ΔS2g ／ΔT2g ＜１．８９                            ・・・（１７）
ただし、広角端焦点距離と望遠端焦点距離の相乗平均の焦点距離となる状態を中間焦点距離状態としたとき、
ΔS2g ：広角端から中間焦点距離状態までの第２レンズ群の移動量、
ΔT2g ：広角端から望遠端までの第２レンズ群の移動量、
であり、物体方向への移動量を正とする。
【００９１】
以下に、本発明の第２０のズームレンズにおいて、上記構成をとる理由と作用を説明すると、条件式（１７）の下限の１．２を越えると、第２レンズ群での変倍比が稼げなくなってしまう。その上限の１．８９を越えると、第２レンズ群の移動量が大きすぎて、カムの構成が困難になる。
【００９２】
さらには、条件式（１７）の下限値を１．４としてもよい。
【００９３】
本発明の第２１のズームレンズは、第１〜第２０のズームレンズにおいて、前記第３レンズ群が以下の条件式を満足するように、広角端よりも望遠端にて物体側に移動することを特徴とするものである。
【００９４】
０＜ΔS3g ／ΔT3g ＜０．４４                                ・・・（１８）
ただし、広角端焦点距離と望遠端焦点距離の相乗平均の焦点距離となる状態を中間焦点距離状態としたとき、
ΔS3g ：広角端から中間焦点距離状態までの第３レンズ群の移動量、
ΔT3g ：広角端から望遠端までの第３レンズ群の移動量、
であり、物体方向への移動量を正とする。
【００９５】
以下に、本発明の第２１のズームレンズにおいて、上記構成をとる理由と作用を説明すると、条件式（１８）の下限の０を越えると、瞳位置が像側に移動し、前玉径が大きくなってしまう。その上限の０．４４を越えると、第３レンズ群での変倍負担が多く、収差が増大してしまう。
【００９６】
さらに、条件式（１８）の下限値を０．３としてもよい。又は、上限値を０．３９としてもよい。
【００９７】
本発明の第２２のズームレンズは、物体側より順に、正屈折力の第１レンズ群と、負屈折力の第２レンズ群と、正屈折力の第３レンズ群と、第４レンズ群とを備えた４群構成のズームレンズであって、
前記第１レンズ群、前記第２レンズ群、前記第３レンズ群、前記第４レンズ群は、広角端から望遠端へのズーミング動作のために、各々のレンズ群間隔を変化させながら移動し、
前記第２レンズ群は３枚のレンズより構成され、
以下の条件式を満足することを特徴とするものである。
【００９８】
７＜（β2T・β3T・β4W）／（β2W・β3W・β4T）＜１５          ・・・（１）
０．６４＜ｆ2 ／ｆ3 ＜０．７３                              ・・・（１９）
ただし、β2T：望遠端における第２レンズ群の倍率、
β3T：望遠端における第３レンズ群の倍率、
β4T：望遠端における第４レンズ群の倍率、
β2W：広角端における第２レンズ群の倍率、
β3W：広角端における第３レンズ群の倍率、
β4W：広角端における第４レンズ群の倍率、
ｆ2 ：第２レンズ群の合成焦点距離、
ｆ3 ：第３レンズ群の合成焦点距離、
である。
【００９９】
以下に、本発明の第２２のズームレンズにおいて、上記構成をとる理由と作用を説明する。
【０１００】
第２２のズームレンズは、正の第１レンズ群、負の第２レンズ群、正の第３レンズ群、第４レンズ群を有し、全てのレンズ群を移動させて変倍する方式のズームレンズである。その場合に、第２レンズ群を３枚のレンズで構成すると、変倍比を稼ぐためにパワーを持ちつつ、第２レンズ群の光軸上の厚みを薄くして、変倍のためのスペースを確保することができる。
【０１０１】
そして、主たる変倍作用を第２レンズ群と第３レンズ群に持たせ、第４レンズ群は主に収差補正を行う。
【０１０２】
このとき、条件式（１）の下限の７を越えると、高変倍を達成することができない。条件式（１）が上限の１５を越えると、第４レンズ群で減倍作用を持ち、効率的な変倍作用ができず、移動スペースが必要となり、薄型化が困難になる。
【０１０３】
また、条件式（１９）の下限の０．６４より小さくなると、第２レンズ群で発生する収差量が増えて、良好な結像性能を得るのが難しくなる。また、その上限の０．７３より大きくなると、第３レンズ群で発生する収差量が増えて、良好な結像性能を得るのが難しくなる。
【０１０４】
本発明の第２３のズームレンズは、第１〜第２１のズームレンズにおいて、以下の条件式を満足することを特徴とするものである。
【０１０５】
０．６４＜ｆ2 ／ｆ3 ＜０．７３                              ・・・（１９）
ただし、ｆ2 ：第２レンズ群の合成焦点距離、
ｆ3 ：第３レンズ群の合成焦点距離、
である。
【０１０６】
以下に、本発明の第２３のズームレンズにおいて、上記構成をとる理由と作用を説明すると、条件式（１９）の下限の０．６４より小さくなると、第２レンズ群で発生する収差量が増えて、良好な結像性能を得るのが難しくなる。また、その上限の０．７３より大きくなると、第３レンズ群で発生する収差量が増えて、良好な結像性能を得るのが難しくなる。
【０１０７】
本発明の第２４のズームレンズは、第１〜第２３のズームレンズにおいて、前記第３レンズ群が以下の条件式を満足することを特徴とするものである。
【０１０８】
０．２６＜ΔT3g ／ｆt ＜０．３７                            ・・・（２０）
ただし、ΔT3g ：広角端から望遠端までの第３レンズ群の移動量、
であり、物体方向への移動量を正とし、
ｆt ：望遠端におけるズームレンズ全系の焦点距離、
である。
【０１０９】
以下に、本発明の第２４のズームレンズにおいて、上記構成をとる理由と作用を説明すると、条件式（２０）の下限の０．２６を越えると、瞳位置が像側に移動し、前玉径が大きくなってしまう。又は、望遠端全長が伸びて、Ｆナンバーも暗くなってしまう。また、その上限の０．３７を越えると、第３レンズ群での変倍負担が多く、収差が増大してしまう。
【０１１０】
さらに、条件式（２０）の下限値を０．２８としてもよい。又は、上限値を０．３４としてもよい。
【０１１１】
本発明の第２５のズームレンズは、第１〜第２４のズームレンズにおいて、前記第３レンズ群が以下の条件式を満足することを特徴とするものである。
【０１１２】
２．８＜ΔT3g ／ｆw ＜３．２１                              ・・・（２１）
ただし、ΔT3g ：広角端から望遠端までの第３レンズ群の移動量、
であり、物体方向への移動量を正とし、
ｆw ：広角端におけるズームレンズ全系の焦点距離、
である。
【０１１３】
以下に、本発明の第２５のズームレンズにおいて、上記構成をとる理由と作用を説明すると、条件式（２１）の下限の２．８を越えると、変倍比を稼ぐために第３レンズ群のパワーが大きくなり、収差が増大し性能が落ちてしまう。また、その上限の３．２１を越えると、瞳位置が像側に移動し、前玉径が大きくなってしまう。又は、望遠端全長が伸びて、Ｆナンバーも暗くなってしまう。
【０１１４】
本発明の第２６のズームレンズは、第１〜第２５のズームレンズにおいて、前記第３レンズ群が以下の条件式を満足することを特徴とするものである。
【０１１５】
２．６４＜（β3T／β3W）＜３．２６                          ・・・（２２）
以下に、本発明の第２６のズームレンズにおいて、上記構成をとる理由と作用を説明すると、条件式（２２）の下限の２．６４を越えると、第２レンズ群の移動量が増大し、レンズユニットが大きくなってしまう。又は、第２レンズ群のパワーが大きくなり、収差が増大し、性能が落ちてしまう。また、その上限の３．２６を越えると第３レンズ群の移動量が増大し、レンズユニットが大きくなってしまう。又は、第３レンズ群のパワーが大きくなり、収差が増大し、性能が落ちてしまう。
【０１１６】
さらに、条件式（２２）の下限値を２．８７としてもよい。又は、上限値を３．２４としてもよい。
【０１１７】
本発明の第２７のズームレンズは、物体側より順に、正屈折力の第１レンズ群と、負屈折力の第２レンズ群と、正屈折力の第３レンズ群と、第４レンズ群とを備えた４群構成のズームレンズであって、
前記第１レンズ群、前記第２レンズ群、前記第３レンズ群、前記第４レンズ群は、広角端から望遠端へのズーミング動作のために、各々のレンズ群間隔を変化させながら移動し、
前記第２レンズ群は３枚のレンズより構成され、
以下の条件式を満足することを特徴とするものである。
【０１１８】
７＜（β2T・β3T・β4W）／（β2W・β3W・β4T）＜１５          ・・・（１）
−０．１７＜（β2T／β2W）／（β3T／β3W）＜１．１６        ・・・（２３）
ただし、β2T：望遠端における第２レンズ群の倍率、
β3T：望遠端における第３レンズ群の倍率、
β4T：望遠端における第４レンズ群の倍率、
β2W：広角端における第２レンズ群の倍率、
β3W：広角端における第３レンズ群の倍率、
β4W：広角端における第４レンズ群の倍率、
である。
【０１１９】
以下に、本発明の第２７のズームレンズにおいて、上記構成をとる理由と作用を説明する。
【０１２０】
第２７のズームレンズは、正の第１レンズ群、負の第２レンズ群、正の第３レンズ群、第４レンズ群を有し、全てのレンズ群を移動させて変倍する方式のズームレンズである。その場合に、第２レンズ群を３枚のレンズで構成すると、変倍比を稼ぐためにパワーを持ちつつ、第２レンズ群の光軸上の厚みを薄くして、変倍のためのスペースを確保することができる。
【０１２１】
そして、主たる変倍作用を第２レンズ群と第３レンズ群に持たせ、第４レンズ群は主に収差補正を行う。
【０１２２】
このとき、条件式（１）の下限の７を越えると、高変倍を達成することができない。条件式（１）が上限の１５を越えると、第４レンズ群で減倍作用を持ち、効率的な変倍作用ができず、移動スペースが必要となり、薄型化が困難になる。
【０１２３】
また、条件式（２３）の下限の−０．１７を越えると、第３レンズ群の変倍負担が大きくなり、第３レンズ群の移動量が増大し、レンズユニットが大きくなってしまう。また、第４レンズ群の変倍負担を大きくした場合、第４レンズ群での収差が大きくなり、性能が低下してしまう。その上限の１．１６を越えると、第２レンズ群のパワーが増大し、収差が大きくなり、性能が低下してしまう。又は、第２レンズ群の移動量が増え、広角端での入射光線高が高くなるため、第１レンズ群のレンズ径の増大を招く。
【０１２４】
さらに、条件式（２３）の下限値を０．８４としてもよい。又は、上限値を１．１５としてもよい。
【０１２５】
本発明の第２８のズームレンズは、第１〜第２６のズームレンズにおいて、以下の条件式を満足することを特徴とするものである。
【０１２６】
−０．１７＜（β2T／β2W）／（β3T／β3W）＜１．１６        ・・・（２３）
以下に、本発明の第２８のズームレンズにおいて、上記構成をとる理由と作用を説明すると、条件式（２３）の下限の−０．１７を越えると、第３レンズ群の変倍負担が大きくなり、第３レンズ群の移動量が増大し、レンズユニットが大きくなってしまう。また、第４レンズ群の変倍負担を大きくした場合、第４レンズ群での収差が大きくなり、性能が低下してしまう。その上限の１．１６を越えると、第２レンズ群のパワーが増大し、収差が大きくなり、性能が低下してしまう。又は、第２レンズ群の移動量が増え、広角端での入射光線高が高くなるため、第１レンズ群のレンズ径の増大を招く。
【０１２７】
さらに、条件式（２３）の下限値を０．８４としてもよい。又は、上限値を１．１５としてもよい。
【０１２８】
本発明の第２９のズームレンズは、第１〜第２８のズームレンズにおいて、前記第１レンズ群が以下の条件を満足することを特徴とするものである。
【０１２９】
０＜Σｄ1g／Ｌt ＜０．０９                                  ・・・（２４）
ただし、Σｄ1g：第１レンズ群の最も物体側のレンズ面から第１レンズ群の最も像側のレ                ンズ面までの光軸上の厚み、
Ｌt ：望遠端におけるズームレンズ入射面から像面までのレンズ全長、
である。
【０１３０】
以下に、本発明の第２９のズームレンズにおいて、上記構成をとる理由と作用を説明すると、条件式（２４）の下限の０を越えてその条件式よりΣｄ1gが小さくなると、小型化を維持しつつ、後ろの群で変倍を行うのが難しくなる。又は、レンズの縁肉を確保するのが難しくなる。また、その条件式（２４）の上限の０．０９を越えてその条件式よりΣｄ1gが大きくなると、沈胴厚が厚くなってしまう。
【０１３１】
さらに、条件式（２４）の下限値を０．０６としてもよい。
【０１３２】
本発明の第３０のズームレンズは、第１〜第２９のズームレンズにおいて、前記第１レンズ群が以下の条件を満足することを特徴とするものである。
【０１３３】
０＜Σｄ1g／ｆt ＜０．１１                                  ・・・（２５）
ただし、Σｄ1g：第１レンズ群の最も物体側のレンズ面から第１レンズ群の最も像側のレ                ンズ面までの光軸上の厚み、
ｆt ：望遠端におけるズームレンズ全系の焦点距離、
である。
【０１３４】
以下に、本発明の第３０のズームレンズにおいて、上記構成をとる理由と作用を説明すると、条件式（２５）の下限の０を越えてΣｄ1gが小さくなると、小型化を維持しつつ、後ろの群で変倍を行うのが難しくなる。又は、レンズの縁肉を確保するのが難しくなる。また、その条件式（２５）の上限の０．１１を越えてΣｄ1gが大きくなると、沈胴厚が厚くなってしまう。
【０１３５】
さらに、条件式（２５）の下限値を０．０８としてもよい。
【０１３６】
本発明の第３１のズームレンズは、第１〜第３０のズームレンズにおいて、広角端時と比べて望遠端時にて開口径が大きくなる開口絞りを備えていることを特徴とするものである。
【０１３７】
以下に、本発明の第３１のズームレンズにおいて、上記構成をとる理由と作用を説明すると、このような開口絞りを備えていると、広角端のＦナンバーが明るくなることにより軸上収差の劣化や周辺減光の現象、又は、望遠端のＦナンバーが暗くなりすぎる現象を起き難くできる。
【０１３８】
本発明の第３２のズームレンズは、第１〜第３１のズームレンズにおいて、以下の条件を満足することを特徴とするものである。
【０１３９】
７＜ｆt ／ｆw ＜１５                                        ・・・（２６）
ただし、ｆt ：望遠端におけるズームレンズ全系の焦点距離、
ｆw ：広角端におけるズームレンズ全系の焦点距離、
である。
【０１４０】
以下に、本発明の第３２のズームレンズにおいて、上記構成をとる理由と作用を説明すると、条件式（２６）の下限の７を越えると、変倍比が小さくなり、撮影表現力が落ちる。また、上限の１５を越えると、高性能で小型化が難しくなり、撮影機動力が落ちる。
【０１４１】
本発明の第３３のズームレンズは、第１〜第３２のズームレンズにおいて、以下の条件を満足することを特徴とするものである。
【０１４２】
−２１＜ｄｔ0.5dw ＜−１０．１                              ・・・（２７）
ただし、ｄｔ0.5dw ：広角端における最大像高のディストーションであり、単位は％である。
【０１４３】
以下に、本発明の第３３のズームレンズにおいて、上記構成をとる理由と作用を説明すると、条件式（２７）の下限の−２１より小さくなると、収差のバランスが崩れ、性能が落ちる。また、画像処理での補正も処理時間が増大し、補正が困難になってくる。その上限の−１０．１より大きいと、第１レンズ群での色収差の発生量が大きくなり、性能が低下してしまう。
【０１４４】
さらに、条件式（２７）の上限値を−１０．３としてもよい。
【０１４５】
本発明の第３４のズームレンズは、物体側より順に、正屈折力の第１レンズ群と、負屈折力の第２レンズ群と、正屈折力の第３レンズ群と、第４レンズ群とを備えた４群構成のズームレンズであって、
前記第１レンズ群、前記第２レンズ群、前記第３レンズ群、前記第４レンズ群は、広角端から望遠端へのズーミング動作のために、各々のレンズ群間隔を変化させながら移動し、
前記第２レンズ群は３枚のレンズより構成され、
以下の条件式を満足することを特徴とするものである。
【０１４６】
−２１＜ｄｔ0.5dw ＜−１０．１                              ・・・（２７）
ただし、ｄｔ0.5dw ：広角端における最大像高のディストーションであり、単位は％である。
【０１４７】
以下に、本発明の第３４のズームレンズにおいて、上記構成をとる理由と作用を説明する。
【０１４８】
第３４のズームレンズは、正の第１レンズ群、負の第２レンズ群、正の第３レンズ群、第４レンズ群を有し、全てのレンズ群を移動させて変倍する方式のズームレンズである。その場合に、第２レンズ群を３枚のレンズで構成すると、変倍比を稼ぐためにパワーを持ちつつ、第２レンズ群の光軸上の厚みを薄くして、変倍のためのスペースを確保することができる。
【０１４９】
そして、主たる変倍作用を第２レンズ群と第３レンズ群に持たせ、第４レンズ群は主に収差補正を行う。
【０１５０】
このとき、条件式（２７）の下限の−２１より小さくなると、収差のバランスが崩れ、性能が落ちる。また、画像処理での補正も処理時間が増大し、補正が困難になってくる。その上限の−１０．１より大きいと、第１レンズ群での色収差の発生量が大きくなり、性能が低下してしまう。
【０１５１】
さらに、条件式（２７）の上限値を−１０．３としてもよい。
【０１５２】
第３５の電子撮像装置は、第１〜第３４のズームレンズと、その像側に配された電子撮像素子とを備えたことを特徴とするものである。
【０１５３】
以下に、本発明の第３５の撮像装置において、上記構成をとる理由と作用を説明すると、本発明のズームレンズは、電子撮像装置に用いると、小型化や高性能、高変倍が確保でき、好ましい。
【０１５４】
上記のズームレンズは、沈胴厚が短く、高性能な高変倍比のものである。よって、このようなズームレンズを撮像光学系として撮像装置に搭載すれば、小型化・高機能化を図ることができる。なお、撮像装置としては、デジタルカメラ以外に、ビデオカメラ、デジタルビデオユニット等がある。
【０１５５】
なお、以上の各発明のズームレンズは、任意に組み合わせるとより効果を得ることができる。また、以上の各条件式に共通して、各条件式範囲をより限定した下位の条件式の上限値のみ、又は、下限値のみをその上位の条件式の上限値あるいは下限値として限定するようにしてもよい。
【０１５６】
また、以上の条件式は、任意に複数を組み合わせることで、より本発明の効果を高めることができる。
【発明の効果】
【０１５７】
本発明により、レンズ収納時（沈胴時）の厚みを極めて薄く、高変倍な全変倍域で結像性能を極めて安定的なズームレンズとそのようなズームレンズを搭載した電子撮像装置を得ることができる。
【発明を実施するための最良の形態】
【０１５８】
以下、本発明のズームレンズの実施例１〜１２について説明する。実施例１〜１２の無限遠物点合焦時の広角端（ａ）、中間状態（ｂ）、望遠端（ｃ）のレンズ断面図をそれぞれ図１〜図１２に示す。図中、第１レンズ群はＧ１、第２レンズ群はＧ２、開口絞りはＳ、第３レンズ群はＧ３、第４レンズ群はＧ４、ＩＲカットコートを施したローパスフィルター等を構成する平行平板はＦ、電子撮像素子のカバーガラスの平行平板はＣ、像面はＩで示してある。なお、カバーガラスＣの表面に波長域制限用の多層膜を施してもよい。また、そのカバーガラスＣにローパスフィルター作用を持たせるようにしてもよい。
【０１５９】
実施例１のズームレンズは、図１に示すように、物体側から順に、正屈折力の第１レンズ群Ｇ１と、負屈折力の第２レンズ群Ｇ２と、開口絞りＳと、正屈折力の第３レンズ群Ｇ３と、正屈折力の第４レンズ群Ｇ４とから構成されており、広角端から望遠端への変倍をする際に、第１レンズ群Ｇ１は像側に凸の軌跡を描いて移動し、望遠端では広角端の位置より物体側に位置し、第２レンズ群Ｇ２は像側に移動し、開口絞りＳと第３レンズ群Ｇ３は一体に物体側へ移動し、第４レンズ群Ｇ４は物体側に凸の軌跡を描いて移動し、望遠端では広角端の位置より物体側に位置する。
【０１６０】
物体側から順に、第１レンズ群Ｇ１は、物体側に凸面を向けた負メニスカスレンズと両凸正レンズの接合レンズからなり、第２レンズ群Ｇ２は、両凹負レンズ２枚と、両凸正レンズとからなり、第３レンズ群Ｇ３は、両凸正レンズと、物体側に凸面を向けた正メニスカスレンズと物体側に凸面を向けた負メニスカスレンズの接合レンズとからなり、第４レンズ群Ｇ４は、物体側に凸面を向けた正メニスカスレンズ１枚からなる。
【０１６１】
非球面は、第３レンズ群Ｇ３の両凸正レンズの物体側の面、第４レンズ群Ｇ４の正メニスカスレンズの両面の３面に用いている。
【０１６２】
実施例２のズームレンズは、図２に示すように、物体側から順に、正屈折力の第１レンズ群Ｇ１と、負屈折力の第２レンズ群Ｇ２と、開口絞りＳと、正屈折力の第３レンズ群Ｇ３と、正屈折力の第４レンズ群Ｇ４とから構成されており、広角端から望遠端への変倍をする際に、第１レンズ群Ｇ１は像側に凸の軌跡を描いて移動し、望遠端では広角端の位置より物体側に位置し、第２レンズ群Ｇ２は第１レンズ群Ｇ１との間の間隔を広げながら像側に凸の軌跡を描いて移動し、望遠端では広角端の位置より像側に位置し、開口絞りＳと第３レンズ群Ｇ３は一体に物体側へ移動し、第４レンズ群Ｇ４は物体側に凸の軌跡を描いて移動し、望遠端では広角端の位置より物体側に位置する。
【０１６３】
物体側から順に、第１レンズ群Ｇ１は、物体側に凸面を向けた負メニスカスレンズと両凸正レンズの接合レンズからなり、第２レンズ群Ｇ２は、両凹負レンズ２枚と、両凸正レンズとからなり、第３レンズ群Ｇ３は、両凸正レンズと、物体側に凸面を向けた正メニスカスレンズと物体側に凸面を向けた負メニスカスレンズの接合レンズとからなり、第４レンズ群Ｇ４は、両凸正レンズ１枚からなる。
【０１６４】
非球面は、第３レンズ群Ｇ３の両凸正レンズの物体側の面、第４レンズ群Ｇ４の両凸正レンズの両面の３面に用いている。
【０１６５】
実施例３のズームレンズは、図３に示すように、物体側から順に、正屈折力の第１レンズ群Ｇ１と、負屈折力の第２レンズ群Ｇ２と、開口絞りＳと、正屈折力の第３レンズ群Ｇ３と、正屈折力の第４レンズ群Ｇ４とから構成されており、広角端から望遠端への変倍をする際に、第１レンズ群Ｇ１は物体側へ移動し、第２レンズ群Ｇ２は第１レンズ群Ｇ１との間の間隔を広げながら像側に凸の軌跡を描いて移動し、望遠端では広角端の位置より像側に位置し、開口絞りＳと第３レンズ群Ｇ３は一体に物体側へ移動し、第４レンズ群Ｇ４は物体側に凸の軌跡を描いて移動し、望遠端では広角端の位置より物体側に位置する。
【０１６６】
物体側から順に、第１レンズ群Ｇ１は、物体側に凸面を向けた負メニスカスレンズと両凸正レンズの接合レンズからなり、第２レンズ群Ｇ２は、両凹負レンズ２枚と、両凸正レンズとからなり、第３レンズ群Ｇ３は、両凸正レンズと、物体側に凸面を向けた正メニスカスレンズと物体側に凸面を向けた負メニスカスレンズの接合レンズとからなり、第４レンズ群Ｇ４は、両凸正レンズ１枚からなる。
【０１６７】
非球面は、第３レンズ群Ｇ３の両凸正レンズの両面、第４レンズ群Ｇ４の両凸正レンズの両面の４面に用いている。
【０１６８】
実施例４のズームレンズは、図４に示すように、物体側から順に、正屈折力の第１レンズ群Ｇ１と、負屈折力の第２レンズ群Ｇ２と、開口絞りＳと、正屈折力の第３レンズ群Ｇ３と、正屈折力の第４レンズ群Ｇ４とから構成されており、広角端から望遠端への変倍をする際に、第１レンズ群Ｇ１は物体側へ移動し、第２レンズ群Ｇ２は第１レンズ群Ｇ１との間の間隔を広げながら像側に凸の軌跡を描いて移動し、望遠端では広角端の位置より像側に位置し、開口絞りＳと第３レンズ群Ｇ３は一体に物体側へ移動し、第４レンズ群Ｇ４は物体側に凸の軌跡を描いて移動し、望遠端では広角端の位置より若干像側に位置する。
【０１６９】
物体側から順に、第１レンズ群Ｇ１は、物体側に凸面を向けた負メニスカスレンズと両凸正レンズの接合レンズからなり、第２レンズ群Ｇ２は、両凹負レンズ２枚と、両凸正レンズとからなり、第３レンズ群Ｇ３は、両凸正レンズと、物体側に凸面を向けた正メニスカスレンズと物体側に凸面を向けた負メニスカスレンズの接合レンズとからなり、第４レンズ群Ｇ４は、両凸正レンズ１枚からなる。
【０１７０】
非球面は、第３レンズ群Ｇ３の両凸正レンズの両面、第４レンズ群Ｇ４の両凸正レンズの両面の４面に用いている。
【０１７１】
実施例５のズームレンズは、図５に示すように、物体側から順に、正屈折力の第１レンズ群Ｇ１と、負屈折力の第２レンズ群Ｇ２と、開口絞りＳと、正屈折力の第３レンズ群Ｇ３と、正屈折力の第４レンズ群Ｇ４とから構成されており、広角端から望遠端への変倍をする際に、第１レンズ群Ｇ１は物体側へ移動し、第２レンズ群Ｇ２は第１レンズ群Ｇ１との間の間隔を広げながら像側に凸の軌跡を描いて移動し、望遠端では広角端の位置より像側に位置し、開口絞りＳと第３レンズ群Ｇ３は一体に物体側へ移動し、第４レンズ群Ｇ４は物体側に凸の軌跡を描いて移動し、望遠端では広角端の位置より物体側に位置する。
【０１７２】
物体側から順に、第１レンズ群Ｇ１は、物体側に凸面を向けた負メニスカスレンズと両凸正レンズの接合レンズからなり、第２レンズ群Ｇ２は、両凹負レンズ２枚と、両凸正レンズとからなり、第３レンズ群Ｇ３は、両凸正レンズと、両凸正レンズと両凹負レンズの接合レンズとからなり、第４レンズ群Ｇ４は、物体側に凸面を向けた正メニスカスレンズ１枚からなる。
【０１７３】
非球面は、第３レンズ群Ｇ３の両凸正レンズの両面、第４レンズ群Ｇ４の正メニスカスレンズの両面の４面に用いている。
【０１７４】
実施例６のズームレンズは、図６に示すように、物体側から順に、正屈折力の第１レンズ群Ｇ１と、負屈折力の第２レンズ群Ｇ２と、開口絞りＳと、正屈折力の第３レンズ群Ｇ３と、正屈折力の第４レンズ群Ｇ４とから構成されており、広角端から望遠端への変倍をする際に、第１レンズ群Ｇ１は物体側へ移動し、第２レンズ群Ｇ２は第１レンズ群Ｇ１との間の間隔を広げながら像側に凸の軌跡を描いて移動し、望遠端では広角端の位置より像側に位置し、開口絞りＳと第３レンズ群Ｇ３は一体に物体側へ移動し、第４レンズ群Ｇ４は物体側に凸の軌跡を描いて移動し、望遠端では広角端の位置より若干物体側に位置する。
【０１７５】
物体側から順に、第１レンズ群Ｇ１は、物体側に凸面を向けた負メニスカスレンズと両凸正レンズの接合レンズからなり、第２レンズ群Ｇ２は、両凹負レンズ２枚と、両凸正レンズとからなり、第３レンズ群Ｇ３は、両凸正レンズと、物体側に凸面を向けた正メニスカスレンズと物体側に凸面を向けた負メニスカスレンズの接合レンズとからなり、第４レンズ群Ｇ４は、両凸正レンズ１枚からなる。
【０１７６】
非球面は、第３レンズ群Ｇ３の両凸正レンズの両面、第４レンズ群Ｇ４の両凸正レンズの両面の４面に用いている。
【０１７７】
実施例７のズームレンズは、図７に示すように、物体側から順に、正屈折力の第１レンズ群Ｇ１と、負屈折力の第２レンズ群Ｇ２と、開口絞りＳと、正屈折力の第３レンズ群Ｇ３と、正屈折力の第４レンズ群Ｇ４とから構成されており、広角端から望遠端への変倍をする際に、第１レンズ群Ｇ１は物体側へ移動し、第２レンズ群Ｇ２は第１レンズ群Ｇ１との間の間隔を広げながら像側に凸の軌跡を描いて移動し、望遠端では広角端の位置より像側に位置し、開口絞りＳと第３レンズ群Ｇ３は一体に物体側へ移動し、第４レンズ群Ｇ４は物体側に凸の軌跡を描いて移動し、望遠端では広角端の位置より物体側に位置する。
【０１７８】
物体側から順に、第１レンズ群Ｇ１は、物体側に凸面を向けた負メニスカスレンズと両凸正レンズの接合レンズからなり、第２レンズ群Ｇ２は、両凹負レンズ２枚と、両凸正レンズとからなり、第３レンズ群Ｇ３は、両凸正レンズと、物体側に凸面を向けた正メニスカスレンズと物体側に凸面を向けた負メニスカスレンズの接合レンズとからなり、第４レンズ群Ｇ４は、両凸正レンズ１枚からなる。
【０１７９】
非球面は、第３レンズ群Ｇ３の両凸正レンズの両面、第４レンズ群Ｇ４の両凸正レンズの両面の４面に用いている。
【０１８０】
実施例８のズームレンズは、図８に示すように、物体側から順に、正屈折力の第１レンズ群Ｇ１と、負屈折力の第２レンズ群Ｇ２と、開口絞りＳと、正屈折力の第３レンズ群Ｇ３と、正屈折力の第４レンズ群Ｇ４とから構成されており、広角端から望遠端への変倍をする際に、第１レンズ群Ｇ１は物体側へ移動し、第２レンズ群Ｇ２は第１レンズ群Ｇ１との間の間隔を広げながら像側に凸の軌跡を描いて移動し、望遠端では広角端の位置より像側に位置し、開口絞りＳと第３レンズ群Ｇ３は一体に物体側へ移動し、第４レンズ群Ｇ４は物体側に凸の軌跡を描いて移動し、望遠端では広角端の位置より若干像側に位置する。
【０１８１】
物体側から順に、第１レンズ群Ｇ１は、物体側に凸面を向けた負メニスカスレンズと両凸正レンズの接合レンズからなり、第２レンズ群Ｇ２は、両凹負レンズ２枚と、両凸正レンズとからなり、第３レンズ群Ｇ３は、両凸正レンズと、物体側に凸面を向けた正メニスカスレンズと物体側に凸面を向けた負メニスカスレンズの接合レンズとからなり、第４レンズ群Ｇ４は、物体側に凸面を向けた正メニスカスレンズ１枚からなる。
【０１８２】
非球面は、第３レンズ群Ｇ３の両凸正レンズの両面、第４レンズ群Ｇ４の正メニスカスレンズの両面の４面に用いている。
【０１８３】
実施例９のズームレンズは、図９に示すように、物体側から順に、正屈折力の第１レンズ群Ｇ１と、負屈折力の第２レンズ群Ｇ２と、開口絞りＳと、正屈折力の第３レンズ群Ｇ３と、正屈折力の第４レンズ群Ｇ４とから構成されており、広角端から望遠端への変倍をする際に、第１レンズ群Ｇ１は物体側へ移動し、第２レンズ群Ｇ２は第１レンズ群Ｇ１との間の間隔を広げながら像側に凸の軌跡を描いて移動し、望遠端では広角端の位置より像側に位置し、開口絞りＳと第３レンズ群Ｇ３は一体に物体側へ移動し、第４レンズ群Ｇ４は物体側に凸の軌跡を描いて移動し、望遠端では広角端の位置より像側に位置する。
【０１８４】
物体側から順に、第１レンズ群Ｇ１は、物体側に凸面を向けた負メニスカスレンズと両凸正レンズの接合レンズからなり、第２レンズ群Ｇ２は、両凹負レンズ２枚と、両凸正レンズとからなり、第３レンズ群Ｇ３は、両凸正レンズと、物体側に凸面を向けた正メニスカスレンズと物体側に凸面を向けた負メニスカスレンズの接合レンズとからなり、第４レンズ群Ｇ４は、物体側に凸面を向けた正メニスカスレンズ１枚からなる。
【０１８５】
非球面は、第３レンズ群Ｇ３の両凸正レンズの両面、第４レンズ群Ｇ４の正メニスカスレンズの両面の４面に用いている。
【０１８６】
実施例１０のズームレンズは、図１０に示すように、物体側から順に、正屈折力の第１レンズ群Ｇ１と、負屈折力の第２レンズ群Ｇ２と、開口絞りＳと、正屈折力の第３レンズ群Ｇ３と、正屈折力の第４レンズ群Ｇ４とから構成されており、広角端から望遠端への変倍をする際に、第１レンズ群Ｇ１は物体側へ移動し、第２レンズ群Ｇ２は第１レンズ群Ｇ１との間の間隔を広げながら像側に凸の軌跡を描いて移動し、望遠端では広角端の位置より像側に位置し、開口絞りＳと第３レンズ群Ｇ３は一体に物体側へ移動し、第４レンズ群Ｇ４は物体側に凸の軌跡を描いて移動し、望遠端では広角端の位置より若干像側に位置する。
【０１８７】
物体側から順に、第１レンズ群Ｇ１は、物体側に凸面を向けた負メニスカスレンズと両凸正レンズの接合レンズからなり、第２レンズ群Ｇ２は、両凹負レンズ２枚と、両凸正レンズとからなり、第３レンズ群Ｇ３は、両凸正レンズと、物体側に凸面を向けた正メニスカスレンズと物体側に凸面を向けた負メニスカスレンズの接合レンズとからなり、第４レンズ群Ｇ４は、物体側に凸面を向けた正メニスカスレンズ１枚からなる。
【０１８８】
非球面は、第３レンズ群Ｇ３の両凸正レンズの両面、第４レンズ群Ｇ４の正メニスカスレンズの両面の４面に用いている。
【０１８９】
実施例１１のズームレンズは、図１１に示すように、物体側から順に、正屈折力の第１レンズ群Ｇ１と、負屈折力の第２レンズ群Ｇ２と、開口絞りＳと、正屈折力の第３レンズ群Ｇ３と、正屈折力の第４レンズ群Ｇ４とから構成されており、広角端から望遠端への変倍をする際に、第１レンズ群Ｇ１は広角端から中間状態まで略固定で中間状態から望遠端にかけて物体側へ移動し、第２レンズ群Ｇ２は像側へ移動し、開口絞りＳと第３レンズ群Ｇ３は一体に物体側へ移動し、第４レンズ群Ｇ４は物体側に凸の軌跡を描いて移動し、望遠端では広角端の位置より像側に位置する。
【０１９０】
物体側から順に、第１レンズ群Ｇ１は、物体側に凸面を向けた負メニスカスレンズと物体側に凸面を向けた正メニスカスレンズの接合レンズと、物体側に凸面を向けた正メニスカスレンズとからなり、第２レンズ群Ｇ２は、物体側に凸面を向けた負メニスカスレンズと、両凹負レンズと物体側に凸面を向けた正メニスカスレンズの接合レンズとからなり、第３レンズ群Ｇ３は、両凸正レンズと、物体側に凸面を向けた正メニスカスレンズと物体側に凸面を向けた負メニスカスレンズの接合レンズとからなり、第４レンズ群Ｇ４は、両凸正レンズ１枚からなる。
【０１９１】
非球面は、第３レンズ群Ｇ３の両凸正レンズの物体側の面、第４レンズ群Ｇ４の正メニスカスレンズの両面の３面に用いている。
【０１９２】
実施例１２のズームレンズは、図１２に示すように、物体側から順に、正屈折力の第１レンズ群Ｇ１と、負屈折力の第２レンズ群Ｇ２と、開口絞りＳと、正屈折力の第３レンズ群Ｇ３と、正屈折力の第４レンズ群Ｇ４とから構成されており、広角端から望遠端への変倍をする際に、第１レンズ群Ｇ１は物体側へ移動し、第２レンズ群Ｇ２は第１レンズ群Ｇ１との間の間隔を広げながら像側に凸の軌跡を描いて移動し、望遠端では広角端の位置より像側に位置し、開口絞りＳと第３レンズ群Ｇ３は一体に物体側へ移動し、第４レンズ群Ｇ４は物体側に凸の軌跡を描いて移動し、望遠端では広角端の位置より若干像側に位置する。
【０１９３】
物体側から順に、第１レンズ群Ｇ１は、物体側に凸面を向けた負メニスカスレンズと両凸正レンズの接合レンズからなり、第２レンズ群Ｇ２は、両凹負レンズ２枚と、両凸正レンズとからなり、第３レンズ群Ｇ３は、両凸正レンズと、物体側に凸面を向けた正メニスカスレンズと物体側に凸面を向けた負メニスカスレンズの接合レンズとからなり、第４レンズ群Ｇ４は、物体側に凸面を向けた正メニスカスレンズ１枚からなる。
【０１９４】
非球面は、第３レンズ群Ｇ３の両凸正レンズの両面、第４レンズ群Ｇ４の正メニスカスレンズの両面の４面に用いている。
【０１９５】
以下に、上記各実施例の数値データを示すが、記号は上記の外、ＩＨは像高、ｆは全系焦点距離、ＦNOはＦナンバー、ＷＥは広角端、ＳＴは中間状態、ＴＥは望遠端、ｒ1 、ｒ2 …は各レンズ面の曲率半径、ｄ1 、ｄ2 …は各レンズ面間の間隔、ｎd1、ｎd2…は各レンズのｄ線の屈折率、νd1、νd2…は各レンズのアッベ数である。なお、非球面形状は、ｘを光の進行方向を正とした光軸とし、ｙを光軸と直交する方向にとると、下記の式にて表される。
【０１９６】
ｘ＝（ｙ2 ／ｒ）／［１＋｛１−（Ｋ＋１）（ｙ／ｒ）2 ｝1/2 ］
＋Ａ4 ｙ4 ＋Ａ6 ｙ6 ＋Ａ8 ｙ8 ＋Ａ10ｙ10
ただし、ｒは近軸曲率半径、Ｋは円錐係数、Ａ4 、Ａ6 、Ａ8 、Ａ10はそれぞれ４次、６次、８次、１０次の非球面係数である。
【０１９７】
実施例１
ＩＨ＝3.6mm 
ｒ1 =    29.61              ｄ1 =  1.0      ｎd1 =1.90366 νd1 =31.31 
ｒ2 =    19.42              ｄ2 =  4.8      ｎd2 =1.58913 νd2 =61.14 
ｒ3 =  -162.69              ｄ3 = （可変）  
ｒ4 =  -158.26              ｄ4 =  0.9      ｎd3 =1.883   νd3 =40.76 
ｒ5 =    15.23              ｄ5 =  3.1      
ｒ6 =   -19.30              ｄ6 =  0.9      ｎd4 =1.883   νd4 =40.76 
ｒ7 =    22.55              ｄ7 =  0.6      
ｒ8 =    27.02              ｄ8 =  2.7      ｎd5 =1.92286 νd5 =20.88 
ｒ9 =   -37.27              ｄ9 = （可変）  
ｒ10=     ∞（絞り）        ｄ10=  0.1      
ｒ11=    13.51（非球面）    ｄ11=  2.1      ｎd6 =1.6935  νd6 =53.21 
ｒ12=   -37.16              ｄ12=  0.3      
ｒ13=     6.88              ｄ13=  1.9      ｎd7 =1.497   νd7 =81.54 
ｒ14=    15.52              ｄ14=  0.8      ｎd8 =1.84666 νd8 =23.78 
ｒ15=     6.28              ｄ15= （可変）  
ｒ16=    14.33（非球面）    ｄ16=  1.4      ｎd9 =1.6935  νd9 =53.21 
ｒ17=    26.77（非球面）    ｄ17= （可変）  
ｒ18=     ∞                ｄ18=  0.9      ｎd10=1.54771 νd10=62.84 
ｒ19=     ∞                ｄ19=  0.5      
ｒ20=     ∞                ｄ20=  0.5      ｎd11=1.51633 νd11=64.14 
ｒ21=     ∞                ｄ21=  0.6      
ｒ22=     ∞（像面）        
非球面係数
第１１面
Ｋ  =  0.519
Ａ4 = -1.14 ×10-4
Ａ6 =  4.21 ×10-7
Ａ8 = -4.73 ×10-8
Ａ10=  8.80 ×10-10 
第１６面
Ｋ  =  0
Ａ4 = -1.08 ×10-3
Ａ6 = -3.68 ×10-5
Ａ8 =  8.89 ×10-7
Ａ10= -7.24 ×10-8
第１７面
Ｋ  =  0
Ａ4 = -1.22 ×10-3
Ａ6 = -2.94 ×10-5
Ａ8 =  4.32 ×10-7
Ａ10= -2.89 ×10-8
ズームデータ（∞）
ＷＥ            ＳＴ            ＴＥ
ｆ (mm)             6.5            20.1            62.6 
ＦNO                2.8             3.5             4.4 
ｄ3                 1.1            15.4            27.9 
ｄ9                35.9            12.6             1.5 
ｄ15               12.8            14.8            25.1 
ｄ17                2.0             6.7             4.7                     。
【０１９８】
実施例２
ＩＨ＝3.6mm 
ｒ1 =    24.41              ｄ1 =  1.0      ｎd1 =1.90366 νd1 =31.31 
ｒ2 =    16.58              ｄ2 =  4.6      ｎd2 =1.58313 νd2 =59.38 
ｒ3 =  -195.75              ｄ3 = （可変）  
ｒ4 =   -75.95              ｄ4 =  0.9      ｎd3 =1.883   νd3 =40.76 
ｒ5 =    15.49              ｄ5 =  2.7      
ｒ6 =   -17.31              ｄ6 =  0.9      ｎd4 =1.883   νd4 =40.76 
ｒ7 =    20.77              ｄ7 =  0.7      
ｒ8 =    24.96              ｄ8 =  2.4      ｎd5 =1.92286 νd5 =20.88 
ｒ9 =   -39.40              ｄ9 = （可変）  
ｒ10=     ∞（絞り）        ｄ10=  0.8      
ｒ11=    15.77（非球面）    ｄ11=  2.4      ｎd6 =1.6935  νd6 =53.21 
ｒ12=   -28.03              ｄ12=  0.3      
ｒ13=     6.46              ｄ13=  2.8      ｎd7 =1.497   νd7 =81.54 
ｒ14=    19.27              ｄ14=  0.8      ｎd8 =1.78472 νd8 =25.68 
ｒ15=     5.47              ｄ15= （可変）  
ｒ16=    40.61（非球面）    ｄ16=  1.9      ｎd9 =1.6935  νd9 =53.21 
ｒ17=   -29.25（非球面）    ｄ17= （可変）  
ｒ18=     ∞                ｄ18=  0.9      ｎd10=1.54771 νd10=62.84 
ｒ19=     ∞                ｄ19=  0.5      
ｒ20=     ∞                ｄ20=  0.5      ｎd11=1.51633 νd11=64.14 
ｒ21=     ∞                ｄ21=  0.6      
ｒ22=     ∞（像面）        
非球面係数
第１１面
Ｋ  =  0.519
Ａ4 = -9.82 ×10-5
Ａ6 = -4.32 ×10-7
Ａ8 =  1.54 ×10-8
Ａ10= -3.64 ×10-10 
第１６面
Ｋ  =  0
Ａ4 = -6.23 ×10-4
Ａ6 = -2.49 ×10-6
Ａ8 = -5.88 ×10-7
Ａ10= -1.52 ×10-8
第１７面
Ｋ  =  0
Ａ4 = -6.63 ×10-4
Ａ6 =  3.78 ×10-6
Ａ8 = -8.83 ×10-7
Ａ10=  4.50 ×10-9
ズームデータ（∞）
ＷＥ            ＳＴ            ＴＥ
ｆ (mm)             6.5            20.1            62.6 
ＦNO                2.8             3.3             4.4 
ｄ3                 0.8            13.6            23.2 
ｄ9                29.6             8.9             1.5 
ｄ15               10.2            11.1            28.1 
ｄ17                3.4             9.4             6.1                     。
【０１９９】
実施例３
ＩＨ＝3.6mm 
ｒ1 =    26.07              ｄ1 =  1.0      ｎd1 =1.90366 νd1 =31.31 
ｒ2 =    17.64              ｄ2 =  5.4      ｎd2 =1.58313 νd2 =59.38 
ｒ3 =  -234.53              ｄ3 = （可変）  
ｒ4 =  -131.56              ｄ4 =  0.9      ｎd3 =1.883   νd3 =40.76 
ｒ5 =    13.77              ｄ5 =  2.2      
ｒ6 =   -36.80              ｄ6 =  0.9      ｎd4 =1.883   νd4 =40.76 
ｒ7 =    14.36              ｄ7 =  1.1      
ｒ8 =    17.74              ｄ8 =  2.2      ｎd5 =1.92286 νd5 =20.88 
ｒ9 =  -219.11              ｄ9 = （可変）  
ｒ10=     ∞（絞り）        ｄ10=  0.8      
ｒ11=    17.26（非球面）    ｄ11=  2.4      ｎd6 =1.6935  νd6 =53.21 
ｒ12=   -23.49（非球面）    ｄ12=  0.3      
ｒ13=     6.09              ｄ13=  2.9      ｎd7 =1.497   νd7 =81.54 
ｒ14=    16.54              ｄ14=  0.8      ｎd8 =1.78472 νd8 =25.68 
ｒ15=     5.07              ｄ15= （可変）  
ｒ16=    19.94（非球面）    ｄ16=  2.7      ｎd9 =1.6935  νd9 =53.21 
ｒ17=   -67.41（非球面）    ｄ17= （可変）  
ｒ18=     ∞                ｄ18=  0.9      ｎd10=1.54771 νd10=62.84 
ｒ19=     ∞                ｄ19=  0.5      
ｒ20=     ∞                ｄ20=  0.5      ｎd11=1.51633 νd11=64.14 
ｒ21=     ∞                ｄ21=  0.6      
ｒ22=     ∞（像面）        
非球面係数
第１１面
Ｋ  =  0.519
Ａ4 = -1.09 ×10-4
Ａ6 = -2.60 ×10-6
Ａ8 = -6.22 ×10-8
Ａ10=  3.79 ×10-9
第１２面
Ｋ  =  0
Ａ4 =  4.04 ×10-8
Ａ6 = -3.45 ×10-6
Ａ8 = -2.25 ×10-9
Ａ10=  2.87 ×10-9
第１６面
Ｋ  =  0
Ａ4 = -4.28 ×10-4
Ａ6 =  3.80 ×10-6
Ａ8 = -6.83 ×10-7
Ａ10=  6.53 ×10-9
第１７面
Ｋ  =  0
Ａ4 = -5.04 ×10-4
Ａ6 =  3.47 ×10-6
Ａ8 = -6.12 ×10-7
Ａ10=  9.23 ×10-9
ズームデータ（∞）
ＷＥ            ＳＴ            ＴＥ
ｆ (mm)             6.5            20.1            62.6 
ＦNO                2.8             3.4             4.0 
ｄ3                 0.8            15.9            26.2 
ｄ9                27.2             9.5             1.5 
ｄ15                9.4            12.5            26.2 
ｄ17                2.6             6.3             3.9                     。
【０２００】
実施例４
ＩＨ＝3.6mm 
ｒ1 =    25.58              ｄ1 =  1.0      ｎd1 =1.90366 νd1 =31.31 
ｒ2 =    17.47              ｄ2 =  5.1      ｎd2 =1.58313 νd2 =59.38 
ｒ3 =  -342.91              ｄ3 = （可変）  
ｒ4 =  -576.31              ｄ4 =  0.9      ｎd3 =1.883   νd3 =40.76 
ｒ5 =     9.13              ｄ5 =  2.9      
ｒ6 =   -21.14              ｄ6 =  0.9      ｎd4 =1.883   νd4 =40.76 
ｒ7 =   115.83              ｄ7 =  0.6      
ｒ8 =    25.49              ｄ8 =  2.0      ｎd5 =1.92286 νd5 =20.88 
ｒ9 =   -67.34              ｄ9 = （可変）  
ｒ10=     ∞（絞り）        ｄ10=  0.8      
ｒ11=    17.57（非球面）    ｄ11=  2.4      ｎd6 =1.6935  νd6 =53.21 
ｒ12=   -26.57（非球面）    ｄ12=  0.3      
ｒ13=     5.81              ｄ13=  3.2      ｎd7 =1.497   νd7 =81.54 
ｒ14=    14.50              ｄ14=  0.8      ｎd8 =1.78472 νd8 =25.68 
ｒ15=     4.67              ｄ15= （可変）  
ｒ16=    15.68（非球面）    ｄ16=  2.3      ｎd9 =1.6935  νd9 =53.21 
ｒ17=  -653.44（非球面）    ｄ17= （可変）  
ｒ18=     ∞                ｄ18=  0.9      ｎd10=1.54771 νd10=62.84 
ｒ19=     ∞                ｄ19=  0.5      
ｒ20=     ∞                ｄ20=  0.5      ｎd11=1.51633 νd11=64.14 
ｒ21=     ∞                ｄ21=  0.6      
ｒ22=     ∞（像面）        
非球面係数
第１１面
Ｋ  =  0.519
Ａ4 = -9.24 ×10-5
Ａ6 = -4.28 ×10-6
Ａ8 =  2.11 ×10-7
Ａ10=  1.85 ×10-9
第１２面
Ｋ  =  0
Ａ4 =  5.00 ×10-6
Ａ6 = -3.16 ×10-6
Ａ8 =  1.45 ×10-7
Ａ10=  3.96 ×10-9
第１６面
Ｋ  =  0
Ａ4 = -2.65 ×10-4
Ａ6 =  2.63 ×10-6
Ａ8 = -4.45 ×10-7
Ａ10=  8.52 ×10-10 
第１７面
Ｋ  =  0
Ａ4 = -3.73 ×10-4
Ａ6 =  1.05 ×10-5
Ａ8 = -9.45 ×10-7
Ａ10=  1.30 ×10-8
ズームデータ（∞）
ＷＥ            ＳＴ            ＴＥ
ｆ (mm)             6.5            20.1            62.6 
ＦNO                2.8             3.4             4.0 
ｄ3                 0.8            16.9            26.7 
ｄ9                26.7             9.2             1.5 
ｄ15                7.5            10.1            26.4 
ｄ17                4.0             7.3             3.6                     。
【０２０１】
実施例５
ＩＨ＝3.6mm 
ｒ1 =    28.41              ｄ1 =  1.0      ｎd1 =1.92286 νd1 =20.88 
ｒ2 =    19.57              ｄ2 =  4.6      ｎd2 =1.6393  νd2 =44.87 
ｒ3 = -2730.27              ｄ3 = （可変）  
ｒ4 =  -130.63              ｄ4 =  0.9      ｎd3 =1.883   νd3 =40.76 
ｒ5 =    13.93              ｄ5 =  2.4      
ｒ6 =   -18.16              ｄ6 =  0.9      ｎd4 =1.883   νd4 =40.76 
ｒ7 =    19.90              ｄ7 =  1.0      
ｒ8 =    26.52              ｄ8 =  2.2      ｎd5 =1.92286 νd5 =20.88 
ｒ9 =   -36.36              ｄ9 = （可変）  
ｒ10=     ∞（絞り）        ｄ10=  0.8      
ｒ11=    11.21（非球面）    ｄ11=  2.8      ｎd6 =1.58913 νd6 =61.14 
ｒ12=   -24.26（非球面）    ｄ12=  0.2      
ｒ13=     7.79              ｄ13=  3.3      ｎd7 =1.497   νd7 =81.54 
ｒ14=   -20.65              ｄ14=  0.8      ｎd8 =1.64769 νd8 =33.79 
ｒ15=     5.75              ｄ15= （可変）  
ｒ16=    13.49（非球面）    ｄ16=  2.4      ｎd9 =1.58913 νd9 =61.14 
ｒ17=   469.95（非球面）    ｄ17= （可変）  
ｒ18=     ∞                ｄ18=  0.9      ｎd10=1.54771 νd10=62.84 
ｒ19=     ∞                ｄ19=  0.5      
ｒ20=     ∞                ｄ20=  0.5      ｎd11=1.51633 νd11=64.14 
ｒ21=     ∞                ｄ21=  0.6      
ｒ22=     ∞（像面）        
非球面係数
第１１面
Ｋ  =  0.519
Ａ4 = -5.31 ×10-5
Ａ6 = -5.00 ×10-6
Ａ8 =  1.33 ×10-7
Ａ10=  2.70 ×10-10 
第１２面
Ｋ  =  0
Ａ4 =  1.26 ×10-4
Ａ6 = -5.15 ×10-6
Ａ8 =  1.64 ×10-7
Ａ10=  2.51 ×10-10 
第１６面
Ｋ  =  0
Ａ4 = -4.42 ×10-4
Ａ6 =  3.82 ×10-6
Ａ8 = -7.84 ×10-7
Ａ10= -1.75 ×10-9
第１７面
Ｋ  =  0
Ａ4 = -5.82 ×10-4
Ａ6 =  1.50 ×10-5
Ａ8 = -1.56 ×10-6
Ａ10=  2.12 ×10-8
ズームデータ（∞）
ＷＥ            ＳＴ            ＴＥ
ｆ (mm)             6.5            20.1            62.6 
ＦNO                2.8             3.4             4.0 
ｄ3                 0.8            17.3            27.5 
ｄ9                25.8             8.5             1.5 
ｄ15                9.0            10.9            26.6 
ｄ17                2.3             6.6             2.8                     。
【０２０２】
実施例６
ＩＨ＝3.6mm 
ｒ1 =    28.32              ｄ1 =  1.0      ｎd1 =1.84666 νd1 =23.78 
ｒ2 =    18.21              ｄ2 =  5.1      ｎd2 =1.58267 νd2 =46.42 
ｒ3 =  -170.41              ｄ3 = （可変）  
ｒ4 =   -45.40              ｄ4 =  0.9      ｎd3 =1.883   νd3 =40.76 
ｒ5 =    11.39              ｄ5 =  3.0      
ｒ6 =   -16.65              ｄ6 =  0.9      ｎd4 =1.883   νd4 =40.76 
ｒ7 =   237.30              ｄ7 =  0.3      
ｒ8 =    37.64              ｄ8 =  2.1      ｎd5 =1.92286 νd5 =20.88 
ｒ9 =   -30.87              ｄ9 = （可変）  
ｒ10=     ∞（絞り）        ｄ10=  0.8      
ｒ11=    16.54（非球面）    ｄ11=  2.2      ｎd6 =1.6935  νd6 =53.21 
ｒ12=   -25.07（非球面）    ｄ12=  0.2      
ｒ13=     6.16              ｄ13=  3.2      ｎd7 =1.497   νd7 =81.54 
ｒ14=    16.22              ｄ14=  0.8      ｎd8 =1.80518 νd8 =25.42 
ｒ15=     4.91              ｄ15= （可変）  
ｒ16=    25.09（非球面）    ｄ16=  2.1      ｎd9 =1.58913 νd9 =61.14 
ｒ17=   -26.13（非球面）    ｄ17= （可変）  
ｒ18=     ∞                ｄ18=  0.9      ｎd10=1.54771 νd10=62.84 
ｒ19=     ∞                ｄ19=  0.5      
ｒ20=     ∞                ｄ20=  0.5      ｎd11=1.51633 νd11=64.14 
ｒ21=     ∞                ｄ21=  0.6      
ｒ22=     ∞（像面）        
非球面係数
第１１面
Ｋ  =  0.519
Ａ4 = -1.80 ×10-4
Ａ6 = -3.29 ×10-6
Ａ8 =  1.90 ×10-7
Ａ10= -8.64 ×10-9
第１２面
Ｋ  =  0
Ａ4 = -8.27 ×10-5
Ａ6 = -2.10 ×10-6
Ａ8 =  1.13 ×10-7
Ａ10= -6.56 ×10-9
第１６面
Ｋ  =  0
Ａ4 = -9.20 ×10-4
Ａ6 =  2.48 ×10-6
Ａ8 = -2.85 ×10-7
Ａ10= -4.99 ×10-8
第１７面
Ｋ  =  0
Ａ4 = -1.08 ×10-3
Ａ6 =  2.08 ×10-5
Ａ8 = -1.40 ×10-6
Ａ10=  7.26 ×10-10 
ズームデータ（∞）
ＷＥ            ＳＴ            ＴＥ
ｆ (mm)             6.5            20.1            62.6 
ＦNO                2.8             3.4             4.0 
ｄ3                 0.8            17.2            26.9 
ｄ9                26.4             9.1             1.5 
ｄ15                8.0            10.8            26.7 
ｄ17                3.7             7.3             3.9                     。
【０２０３】
実施例７
ＩＨ＝3.6mm 
ｒ1 =    27.28              ｄ1 =  1.0      ｎd1 =1.90366 νd1 =31.31 
ｒ2 =    18.07              ｄ2 =  5.4      ｎd2 =1.58313 νd2 =59.38 
ｒ3 =  -155.43              ｄ3 = （可変）  
ｒ4 =   -68.18              ｄ4 =  0.9      ｎd3 =1.883   νd3 =40.76 
ｒ5 =    14.19              ｄ5 =  2.1      
ｒ6 =   -21.23              ｄ6 =  0.9      ｎd4 =1.883   νd4 =40.76 
ｒ7 =    22.35              ｄ7 =  1.2      
ｒ8 =    27.68              ｄ8 =  2.0      ｎd5 =1.92286 νd5 =20.88 
ｒ9 =   -44.07              ｄ9 = （可変）  
ｒ10=     ∞（絞り）        ｄ10=  0.8      
ｒ11=    18.31（非球面）    ｄ11=  2.4      ｎd6 =1.6935  νd6 =53.21 
ｒ12=   -23.97（非球面）    ｄ12=  0.2      
ｒ13=     6.11              ｄ13=  3.4      ｎd7 =1.497   νd7 =81.54 
ｒ14=    19.17              ｄ14=  0.8      ｎd8 =1.78472 νd8 =25.68 
ｒ15=     4.99              ｄ15= （可変）  
ｒ16=    16.47（非球面）    ｄ16=  1.9      ｎd9 =1.6935  νd9 =53.21 
ｒ17=  -241.03（非球面）    ｄ17= （可変）  
ｒ18=     ∞                ｄ18=  0.9      ｎd10=1.54771 νd10=62.84 
ｒ19=     ∞                ｄ19=  0.5      
ｒ20=     ∞                ｄ20=  0.5      ｎd11=1.51633 νd11=64.14 
ｒ21=     ∞                ｄ21=  0.6      
ｒ22=     ∞（像面）        
非球面係数
第１１面
Ｋ  =  0.519
Ａ4 = -8.04 ×10-5
Ａ6 = -4.78 ×10-6
Ａ8 =  1.84 ×10-7
Ａ10=  1.76 ×10-11 
第１２面
Ｋ  =  0
Ａ4 =  2.15 ×10-5
Ａ6 = -5.10 ×10-6
Ａ8 =  2.05 ×10-7
Ａ10= -1.06 ×10-10 
第１６面
Ｋ  =  0
Ａ4 = -4.43 ×10-4
Ａ6 = -1.95 ×10-5
Ａ8 =  8.33 ×10-7
Ａ10= -4.74 ×10-8
第１７面
Ｋ  =  0
Ａ4 = -5.76 ×10-4
Ａ6 = -6.53 ×10-6
Ａ8 = -2.10 ×10-7
Ａ10= -1.10 ×10-8
ズームデータ（∞）
ＷＥ            ＳＴ            ＴＥ
ｆ (mm)             6.5            20.1            62.6 
ＦNO                2.8             3.4             4.0 
ｄ3                 0.8            16.4            26.5 
ｄ9                26.8             9.1             1.5 
ｄ15                8.6            11.1            26.2 
ｄ17                3.4             7.3             4.2                     。
【０２０４】
実施例８
ＩＨ＝3.6mm 
ｒ1 =    25.93              ｄ1 =  1.0      ｎd1 =1.90366 νd1 =31.31 
ｒ2 =    17.69              ｄ2 =  5.7      ｎd2 =1.58313 νd2 =59.38 
ｒ3 =  -312.64              ｄ3 = （可変）  
ｒ4 =  -235.08              ｄ4 =  0.9      ｎd3 =1.883   νd3 =40.76 
ｒ5 =     9.25              ｄ5 =  3.0      
ｒ6 =   -21.51              ｄ6 =  0.9      ｎd4 =1.883   νd4 =40.76 
ｒ7 =    94.67              ｄ7 =  0.5      
ｒ8 =    25.18              ｄ8 =  2.0      ｎd5 =1.92286 νd5 =20.88 
ｒ9 =   -61.09              ｄ9 = （可変）  
ｒ10=     ∞（絞り）        ｄ10=  0.8      
ｒ11=    16.74（非球面）    ｄ11=  2.3      ｎd6 =1.6935  νd6 =53.21 
ｒ12=   -27.26（非球面）    ｄ12=  0.2      
ｒ13=     5.85              ｄ13=  3.1      ｎd7 =1.497   νd7 =81.54 
ｒ14=    15.30              ｄ14=  0.8      ｎd8 =1.78472 νd8 =25.68 
ｒ15=     4.70              ｄ15= （可変）  
ｒ16=    13.75（非球面）    ｄ16=  1.8      ｎd9 =1.6935  νd9 =53.21 
ｒ17=   127.03（非球面）    ｄ17= （可変）  
ｒ18=     ∞                ｄ18=  0.9      ｎd10=1.54771 νd10=62.84 
ｒ19=     ∞                ｄ19=  0.5      
ｒ20=     ∞                ｄ20=  0.5      ｎd11=1.51633 νd11=64.14 
ｒ21=     ∞                ｄ21=  0.6      
ｒ22=     ∞（像面）        
非球面係数
第１１面
Ｋ  =  0.519
Ａ4 = -8.55 ×10-5
Ａ6 = -6.39 ×10-6
Ａ8 =  4.07 ×10-7
Ａ10= -2.94 ×10-9
第１２面
Ｋ  =  0
Ａ4 =  2.03 ×10-5
Ａ6 = -6.27 ×10-6
Ａ8 =  4.08 ×10-7
Ａ10= -2.32 ×10-9
第１６面
Ｋ  =  0
Ａ4 =  6.58 ×10-5
Ａ6 = -2.74 ×10-5
Ａ8 =  1.36 ×10-6
Ａ10= -3.53 ×10-8
第１７面
Ｋ  =  0
Ａ4 =  6.45 ×10-5
Ａ6 = -2.94 ×10-5
Ａ8 =  1.35 ×10-6
Ａ10= -3.35 ×10-8
ズームデータ（∞）
ＷＥ            ＳＴ            ＴＥ
ｆ (mm)             6.5            20.1            62.6 
ＦNO                2.8             3.4             4.4 
ｄ3                 0.9            17.0            26.3 
ｄ9                27.0             9.1             1.5 
ｄ15                8.0            10.3            27.2 
ｄ17                3.8             7.3             3.6                     。
【０２０５】
実施例９
ＩＨ＝3.6mm 
ｒ1 =    27.04              ｄ1 =  1.0      ｎd1 =1.90366 νd1 =31.31 
ｒ2 =    17.99              ｄ2 =  5.7      ｎd2 =1.58313 νd2 =59.38 
ｒ3 =  -176.53              ｄ3 = （可変）  
ｒ4 =   -82.52              ｄ4 =  0.9      ｎd3 =1.883   νd3 =40.76 
ｒ5 =     9.80              ｄ5 =  3.0      
ｒ6 =   -19.43              ｄ6 =  0.9      ｎd4 =1.883   νd4 =40.76 
ｒ7 =   153.20              ｄ7 =  0.3      
ｒ8 =    26.91              ｄ8 =  2.3      ｎd5 =1.92286 νd5 =20.88 
ｒ9 =   -46.89              ｄ9 = （可変）  
ｒ10=     ∞（絞り）        ｄ10=  0.8      
ｒ11=    16.72（非球面）    ｄ11=  2.0      ｎd6 =1.6935  νd6 =53.21 
ｒ12=   -27.19（非球面）    ｄ12=  0.2      
ｒ13=     5.77              ｄ13=  3.2      ｎd7 =1.497   νd7 =81.54 
ｒ14=    14.61              ｄ14=  0.8      ｎd8 =1.78472 νd8 =25.68 
ｒ15=     4.56              ｄ15= （可変）  
ｒ16=    13.75（非球面）    ｄ16=  2.4      ｎd9 =1.6935  νd9 =53.21 
ｒ17=   125.60（非球面）    ｄ17= （可変）  
ｒ18=     ∞                ｄ18=  0.9      ｎd10=1.54771 νd10=62.84 
ｒ19=     ∞                ｄ19=  0.5      
ｒ20=     ∞                ｄ20=  0.5      ｎd11=1.51633 νd11=64.14 
ｒ21=     ∞                ｄ21=  0.6      
ｒ22=     ∞（像面）        
非球面係数
第１１面
Ｋ  =  0.318
Ａ4 = -2.18 ×10-5
Ａ6 = -1.54 ×10-5
Ａ8 =  6.86 ×10-7
Ａ10= -9.56 ×10-9
第１２面
Ｋ  =  3.8779 
Ａ4 =  1.07 ×10-4
Ａ6 = -1.61 ×10-5
Ａ8 =  7.49 ×10-7
Ａ10= -1.06 ×10-8
第１６面
Ｋ  =  0.2738 
Ａ4 = -1.22 ×10-4
Ａ6 =  6.37 ×10-6
Ａ8 = -8.03 ×10-7
Ａ10=  1.81 ×10-8
第１７面
Ｋ  = -39.6532
Ａ4 = -1.43 ×10-4
Ａ6 =  8.49 ×10-6
Ａ8 = -1.08 ×10-6
Ａ10=  2.65 ×10-8
ズームデータ（∞）
ＷＥ            ＳＴ            ＴＥ
ｆ (mm)             6.5            20.1            62.6 
ＦNO                2.9             3.5             4.4 
ｄ3                 1.1            16.6            26.4 
ｄ9                26.5             8.8             1.5 
ｄ15                7.5            10.3            26.9 
ｄ17                3.8             7.2             3.4                     。
【０２０６】
実施例１０
ＩＨ＝3.6mm 
ｒ1 =    26.18              ｄ1 =  1.0      ｎd1 =1.90366 νd1 =31.31 
ｒ2 =    17.80              ｄ2 =  5.4      ｎd2 =1.58313 νd2 =59.38 
ｒ3 =  -249.10              ｄ3 = （可変）  
ｒ4 =  -105.86              ｄ4 =  0.9      ｎd3 =1.883   νd3 =40.76 
ｒ5 =     9.81              ｄ5 =  3.2      
ｒ6 =   -19.11              ｄ6 =  0.9      ｎd4 =1.883   νd4 =40.76 
ｒ7 =   203.24              ｄ7 =  0.3      
ｒ8 =    29.48              ｄ8 =  2.1      ｎd5 =1.92286 νd5 =20.88 
ｒ9 =   -46.62              ｄ9 = （可変）  
ｒ10=     ∞（絞り）        ｄ10=  0.8      
ｒ11=    16.60（非球面）    ｄ11=  2.3      ｎd6 =1.6935  νd6 =53.21 
ｒ12=   -29.03（非球面）    ｄ12=  0.2      
ｒ13=     5.99              ｄ13=  3.2      ｎd7 =1.497   νd7 =81.54 
ｒ14=    15.62              ｄ14=  0.8      ｎd8 =1.78472 νd8 =25.68 
ｒ15=     4.89              ｄ15= （可変）  
ｒ16=    14.08（非球面）    ｄ16=  2.1      ｎd9 =1.6935  νd9 =53.21 
ｒ17=   138.82（非球面）    ｄ17= （可変）  
ｒ18=     ∞                ｄ18=  0.9      ｎd10=1.54771 νd10=62.84 
ｒ19=     ∞                ｄ19=  0.5      
ｒ20=     ∞                ｄ20=  0.5      ｎd11=1.51633 νd11=64.14 
ｒ21=     ∞                ｄ21=  0.6      
ｒ22=     ∞（像面）        
非球面係数
第１１面
Ｋ  =  0.519
Ａ4 = -7.45 ×10-6
Ａ6 = -8.82 ×10-6
Ａ8 =  5.88 ×10-7
Ａ10= -4.76 ×10-9
第１２面
Ｋ  =  0
Ａ4 =  1.02 ×10-4
Ａ6 = -8.89 ×10-6
Ａ8 =  5.92 ×10-7
Ａ10= -3.59 ×10-9
第１６面
Ｋ  =  0
Ａ4 = -1.80 ×10-4
Ａ6 = -8.60 ×10-6
Ａ8 =  2.70 ×10-7
Ａ10= -1.54 ×10-8
第１７面
Ｋ  =  0
Ａ4 = -2.56 ×10-4
Ａ6 = -3.77 ×10-6
Ａ8 = -7.30 ×10-8
Ａ10= -6.62 ×10-9
ズームデータ（∞）
ＷＥ            ＳＴ            ＴＥ
ｆ (mm)             6.5            20.1            62.6 
ＦNO                2.8             3.4             4.4 
ｄ3                 1.0            16.5            26.1 
ｄ9                27.2             8.9             1.5 
ｄ15                8.3            10.7            27.4 
ｄ17                3.6             7.3             3.4                     。
【０２０７】
実施例１１
ＩＨ＝3.6mm 
ｒ1 =    36.01              ｄ1 =  1.2      ｎd1 =1.84666 νd1 =23.78 
ｒ2 =    24.94              ｄ2 =  4.8      ｎd2 =1.497   νd2 =81.54 
ｒ3 =   388.81              ｄ3 =  0.1      
ｒ4 =    26.05              ｄ4 =  3.1      ｎd3 =1.6228  νd3 =57.05 
ｒ5 =    92.10              ｄ5 = （可変）  
ｒ6 =    53.55              ｄ6 =  1.0      ｎd4 =1.834   νd4 =37.16 
ｒ7 =     7.80              ｄ7 =  4.9      
ｒ8 =   -26.05              ｄ8 =  0.9      ｎd5 =1.51823 νd5 =58.9  
ｒ9 =    10.22              ｄ9 =  2.7      ｎd6 =1.92286 νd6 =20.88 
ｒ10=    32.66              ｄ10= （可変）  
ｒ11=     ∞（絞り）        ｄ11=  0.8      
ｒ12=    12.32（非球面）    ｄ12=  2.0      ｎd7 =1.58313 νd7 =59.46 
ｒ13=   -31.63              ｄ13=  0.4      
ｒ14=     5.36              ｄ14=  2.2      ｎd8 =1.497   νd8 =81.54 
ｒ15=    19.56              ｄ15=  0.9      ｎd9 =1.72825 νd9 =28.46 
ｒ16=     4.38              ｄ16= （可変）  
ｒ17=    13.15（非球面）    ｄ17=  2.6      ｎd10=1.58313 νd10=59.46 
ｒ18=   -57.84（非球面）    ｄ18= （可変）  
ｒ19=     ∞                ｄ19=  0.9      ｎd11=1.54771 νd11=62.84 
ｒ20=     ∞                ｄ20=  0.5      
ｒ21=     ∞                ｄ21=  0.5      ｎd12=1.51633 νd12=64.14 
ｒ22=     ∞                ｄ22=  0.6      
ｒ23=     ∞（像面）        
非球面係数
第１２面
Ｋ  = -1.198
Ａ4 = -2.67 ×10-5
Ａ6 = -7.61 ×10-7
Ａ8 =  2.49 ×10-8
Ａ10=  0.00 
第１７面
Ｋ  =  0
Ａ4 = -2.30 ×10-4
Ａ6 =  1.15 ×10-5
Ａ8 = -2.78 ×10-7
Ａ10= -1.12 ×10-9
第１８面
Ｋ  = 76.283
Ａ4 = -2.19 ×10-4
Ａ6 =  1.16 ×10-5
Ａ8 = -2.89 ×10-7
Ａ10=  0.00 
ズームデータ（∞）
ＷＥ            ＳＴ            ＴＥ
ｆ (mm)             6.5            20.1            62.6 
ＦNO                2.8             3.2             3.8 
ｄ5                 0.3            12.4            21.0 
ｄ10               25.3             9.3             1.5 
ｄ16                6.3             7.2            16.3 
ｄ18                6.1             9.1             3.2                     。
【０２０８】
実施例１２
ＩＨ＝3.6mm 
ｒ1 =    27.05              ｄ1 =  1.0      ｎd1 =1.90366 νd1 =31.31 
ｒ2 =    18.00              ｄ2 =  5.7      ｎd2 =1.58313 νd2 =59.38 
ｒ3 =  -176.56              ｄ3 = （可変）  
ｒ4 =   -81.93              ｄ4 =  0.9      ｎd3 =1.883   νd3 =40.76 
ｒ5 =     9.81              ｄ5 =  3.0      
ｒ6 =   -19.38              ｄ6 =  0.9      ｎd4 =1.883   νd4 =40.76 
ｒ7 =   153.31              ｄ7 =  0.3      
ｒ8 =    26.90              ｄ8 =  2.4      ｎd5 =1.92286 νd5 =20.88 
ｒ9 =   -46.81              ｄ9 = （可変）  
ｒ10=     ∞（絞り）        ｄ10=  0.8      
ｒ11=    16.77（非球面）    ｄ11=  2.0      ｎd6 =1.6935  νd6 =53.21 
ｒ12=   -27.11（非球面）    ｄ12=  0.2      
ｒ13=     5.75              ｄ13=  3.2      ｎd7 =1.497   νd7 =81.54 
ｒ14=    14.61              ｄ14=  0.8      ｎd8 =1.78472 νd8 =25.68 
ｒ15=     4.55              ｄ15= （可変）  
ｒ16=    13.67（非球面）    ｄ16=  2.4      ｎd9 =1.6935  νd9 =53.21 
ｒ17=   118.93（非球面）    ｄ17= （可変）  
ｒ18=     ∞                ｄ18=  0.9      ｎd10=1.54771 νd10=62.84 
ｒ19=     ∞                ｄ19=  0.5      
ｒ20=     ∞                ｄ20=  0.5      ｎd11=1.51633 νd11=64.14 
ｒ21=     ∞                ｄ21=  0.6      
ｒ22=     ∞（像面）        
非球面係数
第１１面
Ｋ  =  0.318
Ａ4 = -2.19 ×10-5
Ａ6 = -1.54 ×10-5
Ａ8 =  6.85 ×10-7
Ａ10= -9.65 ×10-9
第１２面
Ｋ  =  3.8779 
Ａ4 =  1.08 ×10-4
Ａ6 = -1.61 ×10-5
Ａ8 =  7.49 ×10-7
Ａ10= -1.07 ×10-8
第１６面
Ｋ  =  0.2738 
Ａ4 = -1.22 ×10-4
Ａ6 =  6.35 ×10-6
Ａ8 = -8.03 ×10-7
Ａ10=  1.79 ×10-8
第１７面
Ｋ  = -39.6532
Ａ4 = -1.43 ×10-4
Ａ6 =  8.51 ×10-6
Ａ8 = -1.08 ×10-6
Ａ10=  2.63 ×10-8
ズームデータ（∞）
ＷＥ            ＳＴ            ＴＥ
ｆ (mm)             6.4            20.1            62.6 
ＦNO                2.9             3.5             4.4 
ｄ3                 1.1            16.6            26.4 
ｄ9                26.5             8.8             1.5 
ｄ15                7.5            10.3            26.9 
ｄ17                3.8             7.2             3.4                     。
【０２０９】
以上の実施例１〜１２の無限遠物点合焦時の収差図をそれぞれ図１３〜図２４に示す。これらの収差図において、（ａ）は広角端、（ｂ）は中間状態、（ｃ）は望遠端における球面収差（ＳＡ）、非点収差（ＡＳ）、歪曲収差（ＤＴ）、倍率色収差（ＣＣ）を示す。各図中、“ＦＩＹ”は最大像高を示す。
【０２１０】
次に、上記各実施例における画角、条件式（１）〜（２７）の値を示す。
【０２１１】
実施例
条件式      １      ２      ３      ４      ５      ６
（１）     9.70    9.71    9.71    9.71    9.71    9.71 
（２）    10.48   11.31   10.57    9.46    9.97    9.80 
（３）     0.54    0.49    0.53    0.79    0.52    0.62 
（４）     1.02    0.86    0.87    0.87    0.86    0.86 
（５）     9.91    8.32    8.40    8.40    8.39    8.39 
（６）     1.90    1.90    1.90    1.90    1.92    1.85 
（７）    31.31   31.31   31.31   31.31   20.88   23.78 
（８）     1.88    1.88    1.88    1.88    1.88    1.88 
（９）     1.88    1.88    1.88    1.88    1.88    1.88 
（10）     1.92    1.92    1.92    1.92    1.92    1.92 
（11）    -1.42   -2.00   -1.84   -1.73   -1.80   -1.81 
（12）     8.62    7.44    8.11    8.21    8.40    8.24 
（13）     1.98    1.58    1.46    1.16    1.40    1.25 
（14）     0.45    0.37    0.42    0.43    0.44    0.43 
（15）     0.40    0.45    0.42    0.42    0.42    0.43 
（16）     2.81    2.99    2.97    3.69    2.95    3.38 
（17）     0.86    1.85    1.44    1.72    1.77    1.83 
（18）     0.44    0.33    0.38    0.32    0.34    0.33 
（19）     0.72    0.65    0.69    0.71    0.71    0.72 
（20）     0.24    0.33    0.29    0.30    0.29    0.30 
（21）     2.34    3.20    2.82    2.87    2.79    2.92 
（22）     3.26    3.62    3.23    2.89    3.13    3.09 
（22）     0.99    0.86    1.02    1.13    1.02    1.03 
（24）     0.07    0.07    0.08    0.07    0.07    0.07 
（25）     0.092   0.089   0.103   0.097   0.089   0.098
（26）     9.71    9.71    9.71    9.71    9.71    9.71 
（27）   -14.02  -20.12  -14.09  -10.33  -17.21  -17.47 
。
【０２１２】
実施例
条件式      ７      ８      ９    １０    １１    １２
（１）     9.71    9.71    9.71    9.71    9.71    9.71 
（２）    10.25    9.59    9.43    9.60    7.40    9.43 
（３）     0.50    0.78    0.75    0.74    1.21    0.75 
（４）     0.86    0.86    0.86    0.86    0.75    0.86 
（５）     8.39    8.39    8.34    8.39    7.31    8.34 
（６）     1.90    1.90    1.90    1.90    1.85    1.90 
（７）    31.31   31.31   31.31   31.31   23.78   31.31 
（８）     1.88    1.88    1.88    1.88    1.52    1.88 
（９）     1.88    1.88    1.88    1.88    1.52    1.88 
（10）     1.92    1.92    1.92    1.92    1.92    1.92 
（11）    -1.83   -1.77   -1.76   -1.77   -0.89   -1.76 
（12）     8.08    8.26    8.17    8.16    6.15    8.17 
（13）     1.34    1.24    1.16    1.28    0.98    1.16 
（14）     0.42    0.42    0.42    0.42    0.34    0.42 
（15）     0.42    0.43    0.43    0.44    0.26    0.43 
（16）     3.20    3.48    3.66    3.38    4.16    3.66 
（17）     1.65    1.86    1.88    1.82    0.72    1.88 
（18）     0.35    0.31    0.33    0.32    0.56    0.33 
（19）     0.70    0.71    0.71    0.71    0.54    0.71 
（20）     0.29    0.30    0.30    0.30    0.11    0.30 
（21）     2.86    2.94    2.94    2.95    1.11    2.94 
（22）     3.11    3.03    2.94    3.04    1.08    2.94 
（22）     1.06    1.04    1.09    1.04    6.39    1.09 
（24）     0.08    0.08    0.08    0.08    0.13    0.08 
（25）     0.103   0.107   0.107   0.103   0.146   0.107
（26）     9.71    9.71    9.71    9.71    9.71    9.71 
（27）   -16.29  -10.71  -12.47  -12.73   -4.07  -12.51 
。
【０２１３】
図２５〜図２７は、以上のようなズームレンズを撮影光学系４１に組み込んだ本発明によるデジタルカメラの構成の概念図を示す。図２５はデジタルカメラ４０の外観を示す前方斜視図、図２６は同後方正面図、図２７はデジタルカメラ４０の構成を示す模式的な透視平面図である。ただし、図２５と図２７においては、撮影光学系４１の非沈胴時を示している。デジタルカメラ４０は、この例の場合、撮影用光路４２を有する撮影光学系４１、ファインダー用光路４４を有するファインダー光学系４３、シャッターボタン４５、フラッシュ４６、液晶表示モニター４７、焦点距離変更ボタン６１、設定変更スイッチ６２等を含み、撮影光学系４１の沈胴時には、カバー６０をスライドすることにより、撮影光学系４１とファインダー光学系４３とフラッシュ４６はそのカバー６０で覆われる。そして、カバー６０を開いてカメラ４０を撮影状態に設定すると、撮影光学系４１は図２７の非沈胴状態になり、カメラ４０の上部に配置されたシャッターボタン４５を押圧すると、それに連動して撮影光学系４１、例えば実施例１のズームレンズを通して撮影が行われる。撮影光学系４１によって形成された物体像が、ＩＲカットコートを施したローパスフィルターＦとカバーガラスＣを介してＣＣＤ４９の撮像面上に形成される。このＣＣＤ４９で受光された物体像は、処理手段５１を介し、電子画像としてカメラ背面に設けられた液晶表示モニター４７に表示される。また、この処理手段５１には記録手段５２が接続され、撮影された電子画像を記録することもできる。なお、この記録手段５２は処理手段５１と別体に設けてもよいし、フロッピーディスクやメモリーカード、ＭＯ等により電子的に記録書込を行うように構成してもよい。また、ＣＣＤ４９に代わって銀塩フィルムを配置した銀塩カメラとして構成してもよい。
【０２１４】
さらに、ファインダー用光路４４上にはファインダー用対物光学系５３が配置してある。ファインダー用対物光学系５３は、複数のレンズ群（図の場合は３群）と２つのプリズムからなり、撮影光学系４１のズームレンズに連動して焦点距離が変化するズーム光学系からなり、このファインダー用対物光学系５３によって形成された物体像は、像正立部材である正立プリズム５５の視野枠５７上に形成される。この正立プリズム５５の後方には、正立正像にされた像を観察者眼球Ｅに導く接眼光学系５９が配置されている。なお、接眼光学系５９の射出側にカバー部材５０が配置されている。
【０２１５】
このように構成されたデジタルカメラ４０は、撮影光学系４１が  本発明により、沈胴時に厚みを極めて薄く、高変倍な全変倍域で結像性能を極めて安定的であるあるので、高性能・小型化が実現できる。
【図面の簡単な説明】
【０２１６】
【図１】本発明のズームレンズの実施例１の無限遠物点合焦時の広角端（ａ）、中間状態（ｂ）、望遠端（ｃ）でのレンズ断面図である。
【図２】本発明のズームレンズの実施例２の図１と同様の図である。
【図３】本発明のズームレンズの実施例３の図１と同様の図である。
【図４】本発明のズームレンズの実施例４の図１と同様の図である。
【図５】本発明のズームレンズの実施例５の図１と同様の図である。
【図６】本発明のズームレンズの実施例６の図１と同様の図である。
【図７】本発明のズームレンズの実施例７の図１と同様の図である。
【図８】本発明のズームレンズの実施例８の図１と同様の図である。
【図９】本発明のズームレンズの実施例９の図１と同様の図である。
【図１０】本発明のズームレンズの実施例１０の図１と同様の図である。
【図１１】本発明のズームレンズの実施例１１の図１と同様の図である。
【図１２】本発明のズームレンズの実施例１２の図１と同様の図である。
【図１３】実施例１の無限遠物点合焦時の収差図である。
【図１４】実施例２の無限遠物点合焦時の収差図である。
【図１５】実施例３の無限遠物点合焦時の収差図である。
【図１６】実施例４の無限遠物点合焦時の収差図である。
【図１７】実施例５の無限遠物点合焦時の収差図である。
【図１８】実施例６の無限遠物点合焦時の収差図である。
【図１９】実施例７の無限遠物点合焦時の収差図である。
【図２０】実施例８の無限遠物点合焦時の収差図である。
【図２１】実施例９の無限遠物点合焦時の収差図である。
【図２２】実施例１０の無限遠物点合焦時の収差図である。
【図２３】実施例１１の無限遠物点合焦時の収差図である。
【図２４】実施例１２の無限遠物点合焦時の収差図である。
【図２５】本発明によるデジタルカメラの外観を示す前方斜視図である。
【図２６】図２５のデジタルカメラの後方斜視図である。
【図２７】図２５のデジタルカメラの断面図である。
【符号の説明】
【０２１７】
Ｇ１…第１レンズ群
Ｇ２…第２レンズ群
Ｇ３…第３レンズ群
Ｇ４…第４レンズ群
Ｓ…開口絞り
Ｆ…ローパスフィルター
Ｃ…カバーガラス
Ｉ…像面
Ｅ…観察者眼球
４０…デジタルカメラ
４１…撮影光学系
４２…撮影用光路
４３…ファインダー光学系
４４…ファインダー用光路
４５…シャッターボタン
４６…フラッシュ
４７…液晶表示モニター
４９…ＣＣＤ
５０…カバー部材
５１…処理手段
５２…記録手段
５３…ファインダー用対物光学系
５５…正立プリズム
５７…視野枠
５９…接眼光学系
６０…カバー
６１…焦点距離変更ボタン
６２…設定変更スイッチ
【図１】
2006133631.tif 000003
【図２】
2006133631.tif 000004
【図３】
2006133631.tif 000005
【図４】
2006133631.tif 000006
【図５】
2006133631.tif 000007
【図６】
2006133631.tif 000008
【図７】
2006133631.tif 000009
【図８】
2006133631.tif 000010
【図９】
2006133631.tif 000011
【図１０】
2006133631.tif 000012
【図１１】
2006133631.tif 000013
【図１２】
2006133631.tif 000014
【図１３】
2006133631.tif 000015
【図１４】
2006133631.tif 000016
【図１５】
2006133631.tif 000017
【図１６】
2006133631.tif 000018
【図１７】
2006133631.tif 000019
【図１８】
2006133631.tif 000020
【図１９】
2006133631.tif 000021
【図２０】
2006133631.tif 000022
【図２１】
2006133631.tif 000023
【図２２】
2006133631.tif 000024
【図２３】
2006133631.tif 000025
【図２４】
2006133631.tif 000026
【図２５】
2006133631.tif 000027
【図２６】
2006133631.tif 000028
【図２７】
2006133631.tif 000029